(57)【要約】【課題】非周期的ＣＳＩ−ＲＳベースのチャネル状態報告のための方法を提供する。【解決手段】無線通信システムにおいて、チャネル状態情報−参照信号(ＣＳＩ−ＲＳ)ベースのチャネル状態報告方法であって、基地局からＣＳＩ−ＲＳ関連設定を受信する段階、ＣＳＩ−ＲＳ関連設定に従ってＣＳＩ−ＲＳを測定してＣＳＩを計算する段階、及び計算されたＣＳＩを基地局に伝送する段階を含み、ＣＳＩ−ＲＳ関連設定はＣＳＩのためのＣＳＩ−ＲＳ設定又はビーム管理(ＢＭ)のためのＣＳＩ−ＲＳ設定を含むことができる。【選択図】図３５
2019528610.tif 000002
【特許請求の範囲】
【請求項１】
無線通信システムにおいて、チャネル状態情報−参照信号(ｃｈａｎｎｅｌ ｓｔａｔｅ ｉｎｆｏｒｍａｔｉｏｎ−ｒｅｆｅｒｅｎｃｅ ｓｉｇｎａｌ；ＣＳＩ−ＲＳ)ベースのチャネル状態報告方法であって、
基地局からＣＳＩ−ＲＳ関連設定を受信する段階、
前記ＣＳＩ−ＲＳ関連設定に従ってＣＳＩ−ＲＳを測定してＣＳＩを計算する段階、及び、
前記計算されたＣＳＩを前記基地局に伝送する段階を含み、
前記ＣＳＩ−ＲＳ関連設定はＣＳＩのためのＣＳＩ−ＲＳ設定又はビーム管理(ｂｅａｍ ｍａｎａｇｅｍｅｎｔ；ＢＭ)のためのＣＳＩ−ＲＳ設定を含むことを特徴とする、チャネル状態報告方法。
【請求項２】
前記ＣＳＩ−ＲＳ関連設定は、前記ＣＳＩのためのＣＳＩ−ＲＳに関連するリソースと時間軸上で区別されるＢＭのためのＣＳＩ−ＲＳに関連する時間リソース情報を含むことを特徴とする、請求項１に記載のチャネル状態報告方法。
【請求項３】
前記ＢＭのためのＣＳＩ−ＲＳに関連する時間リソース情報は、前記ＣＳＩのためのＣＳＩ−ＲＳに関連するリソースとは異なる開始点を有するように設定されることを特徴とする、請求項２に記載のチャネル状態報告方法。
【請求項４】
前記ＣＳＩ−ＲＳ関連設定は前記ＢＭのためのＣＳＩ−ＲＳの最大のアンテナポート数を含むことを特徴とする、請求項１に記載のチャネル状態報告方法。
【請求項５】
前記ＣＳＩ−ＲＳ関連設定は前記ＢＭのためのＣＳＩ−ＲＳの最大の密度情報を含むことを特徴とする、請求項１に記載のチャネル状態報告方法。
【請求項６】
前記ＣＳＩ−ＲＳ関連設定は前記ＣＳＩのためのＣＳＩ−ＲＳ設定又はＢＭのためのＣＳＩ−ＲＳ設定のうち１つを指示し、
前記指示されたＣＳＩ−ＲＳ設定によって前記受信されたＣＳＩ−ＲＳ関連設定が解釈されることを特徴とする、請求項１に記載のチャネル状態報告方法。
【請求項７】
無線通信システムにおいて、チャネル状態情報−参照信号(ｃｈａｎｎｅｌ ｓｔａｔｅ ｉｎｆｏｒｍａｔｉｏｎ−ｒｅｆｅｒｅｎｃｅ ｓｉｇｎａｌ；ＣＳＩ−ＲＳ)ベースのチャネル状態報告を行う端末であって、
送信機及び受信機、及び、
前記送信機及び受信機を制御するように構成されたプロセッサーを含み、
前記プロセッサーは、
基地局からＣＳＩ−ＲＳ関連設定を受信し、
前記ＣＳＩ−ＲＳ関連設定に従ってＣＳＩ−ＲＳを測定してＣＳＩを計算し、また
前記計算されたＣＳＩを前記基地局に伝送するように構成され、
前記ＣＳＩ−ＲＳ関連設定はＣＳＩのためのＣＳＩ−ＲＳ設定又はビーム管理(ｂｅａｍ ｍａｎａｇｅｍｅｎｔ；ＢＭ)のためのＣＳＩ−ＲＳ設定を含むことを特徴とする、端末。
【請求項８】
前記ＣＳＩ−ＲＳ関連設定は、前記ＣＳＩのためのＣＳＩ−ＲＳに関連するリソースと時間軸上で区別されるＢＭのためのＣＳＩ−ＲＳに関連する時間リソース情報を含むことを特徴とする、請求項７に記載の端末。
【請求項９】
前記ＢＭのためのＣＳＩ−ＲＳに関連する時間リソース情報は、前記ＣＳＩのためのＣＳＩ−ＲＳに関連するリソースとは異なる開始点を有するように設定されることを特徴とする、請求項８に記載の端末。
【請求項１０】
前記ＣＳＩ−ＲＳ関連設定は前記ＢＭのためのＣＳＩ−ＲＳの最大のアンテナポート数を含むことを特徴とする、請求項７に記載の端末。
【請求項１１】
前記ＣＳＩ−ＲＳ関連設定は前記ＢＭのためのＣＳＩ−ＲＳの最大の密度情報を含むことを特徴とする、請求項７に記載の端末。
【請求項１２】
前記ＣＳＩ−ＲＳ関連設定は前記ＣＳＩのためのＣＳＩ−ＲＳ設定又はＢＭのためのＣＳＩ−ＲＳ設定のうち１つを指示し、
前記指示されたＣＳＩ−ＲＳ設定によって前記受信されたＣＳＩ−ＲＳ関連設定が解釈されることを特徴とする、請求項７に記載の端末。
【発明の詳細な説明】
【技術分野】
【０００１】
本発明は無線通信システムに関し、より詳しくは、チャネル状態報告のための方法及びその装置に関する。
【背景技術】
【０００２】
より多くの通信機器が、より大きい通信容量を求めるにつれて、従来の無線接続技術(ｒａｄｉｏ ａｃｃｅｓｓ ｔｅｃｈｎｏｌｏｇｙ；ＲＡＴ)に比べて向上したモバイル広帯域通信の必要性が台頭している。また、複数の機器及びモノを連結して、いつでもどこでも様々なサービスを提供する大規模(ｍａｓｓｉｖｅ)ＭＴＣ(Ｍａｃｈｉｎｅ Ｔｙｐｅ Ｃｏｍｍｕｎｉｃａｔｉｏｎｓ)も次世代通信において考慮する重要イシュの１つである。のみならず、信頼度(ｒｅｌｉａｂｉｌｉｔｙ)及びレイテンシ(ｌａｔｅｎｃｙ)に敏感なサービスを考慮した通信システムデザインが論議されている。このように、ｅＭＢＢ(ｅｎｈａｎｃｅｄ ｍｏｂｉｌｅ ｂｒｏａｄｂａｎｄ ｃｏｍｍｕｎｉｃａｔｉｏｎ)、大規模ＭＴＣ(ｍａｓｓｉｖｅ ＭＴＣ；ｍＭＴＣ)、ＵＲＬＬＣ(ｕｌｔｒａ−ｒｅｌｉａｂｌｅ ａｎｄ ｌｏｗ ｌａｔｅｎｃｙ ｃｏｍｍｕｎｉｃａｔｉｏｎ)などを考慮した次世代ＲＡＴの導入が論議されており、本発明では、便宜のために、当該技術を新ラット(Ｎｅｗ ＲＡＴ)と称する。
【発明の概要】
【発明が解決しようとする課題】
【０００３】
本発明は、チャネル状態報告のための方法を提案する。より詳しくは、非周期的ＣＳＩ−ＲＳベースのチャネル状態報告のための方法を提案する。
【０００４】
本発明で遂げようとする技術的課題は以上で言及した事項に限定されず、言及していない別の技術的課題は、以下に説明する本発明の実施例から、本発明の属する技術の分野における通常の知識を有する者に明確に理解されるであろう。
【課題を解決するための手段】
【０００５】
本発明の一実施例による無線通信システムにおいて、チャネル状態情報−参照信号(ｃｈａｎｎｅｌ ｓｔａｔｅ ｉｎｆｏｒｍａｔｉｏｎ−ｒｅｆｅｒｅｎｃｅ ｓｉｇｎａｌ；ＣＳＩ−ＲＳ)ベースのチャネル状態報告方法であって、基地局からＣＳＩ−ＲＳ関連設定を受信する段階、ＣＳＩ−ＲＳ関連設定に従ってＣＳＩ−ＲＳを測定してＣＳＩを計算する段階、及び計算されたＣＳＩを基地局に伝送する段階を含み、ＣＳＩ−ＲＳ関連設定はＣＳＩのためのＣＳＩ−ＲＳ設定又はビーム管理(ｂｅａｍ ｍａｎａｇｅｍｅｎｔ；ＢＭ)のためのＣＳＩ−ＲＳ設定を含むことができる。
【０００６】
追加又は代案として、ＣＳＩ−ＲＳ関連設定は、ＣＳＩのためのＣＳＩ−ＲＳに関連するリソースと時間軸上で区別されるＢＭのためのＣＳＩ−ＲＳに関連する時間リソース情報を含む。
【０００７】
追加又は代案として、ＢＭのためのＣＳＩ−ＲＳに関連する時間リソース情報は、ＣＳＩのためのＣＳＩ−ＲＳに関連するリソースとは異なる開始点を有するように設定される。
【０００８】
追加又は代案として、ＣＳＩ−ＲＳ関連設定はＢＭのためのＣＳＩ−ＲＳの最大のアンテナポート数を含む。
【０００９】
追加又は代案として、ＣＳＩ−ＲＳ関連設定はＢＭのためのＣＳＩ−ＲＳの最大の密度(ｄｅｎｓｉｔｙ)情報を含む。
【００１０】
追加又は代案として、ＣＳＩ−ＲＳ関連設定はＣＳＩのためのＣＳＩ−ＲＳ設定又はＢＭのためのＣＳＩ−ＲＳ設定のうち１つを指示し、指示されたＣＳＩ−ＲＳ設定によって受信されたＣＳＩ−ＲＳ関連設定が解釈される。
【００１１】
本発明の別の一実施例による無線通信システムにおいて、チャネル状態情報−参照信号(ｃｈａｎｎｅｌ ｓｔａｔｅ ｉｎｆｏｒｍａｔｉｏｎ−ｒｅｆｅｒｅｎｃｅ ｓｉｇｎａｌ；ＣＳＩ−ＲＳ)ベースのチャネル状態報告を行う端末であって、送信機及び受信機、及び送信機及び受信機を制御するように構成されたプロセッサーを含み、プロセッサーは、基地局からＣＳＩ−ＲＳ関連設定を受信し、ＣＳＩ−ＲＳ関連設定に従ってＣＳＩ−ＲＳを測定してＣＳＩを計算し、また計算されたＣＳＩを基地局に伝送するように構成され、ＣＳＩ−ＲＳ関連設定はＣＳＩのためのＣＳＩ−ＲＳ設定又はビーム管理(ｂｅａｍ ｍａｎａｇｅｍｅｎｔ；ＢＭ)のためのＣＳＩ−ＲＳ設定を含むことができる。
【００１２】
追加又は代案として、ＣＳＩ−ＲＳ関連設定は、ＣＳＩのためのＣＳＩ−ＲＳに関連するリソースと時間軸上で区別されるＢＭのためのＣＳＩ−ＲＳに関連する時間リソース情報を含む。
【００１３】
追加又は代案として、ＢＭのためのＣＳＩ−ＲＳに関連する時間リソース情報は、ＣＳＩのためのＣＳＩ−ＲＳに関連するリソースとは異なる開始点を有するように設定される。
【００１４】
追加又は代案として、ＣＳＩ−ＲＳ関連設定はＢＭのためのＣＳＩ−ＲＳの最大のアンテナポート数を含む。
【００１５】
追加又は代案として、ＣＳＩ−ＲＳ関連設定はＢＭのためのＣＳＩ−ＲＳの最大の密度情報を含む。
【００１６】
追加又は代案として、ＣＳＩ−ＲＳ関連設定はＣＳＩのためのＣＳＩ−ＲＳ設定又はＢＭのためのＣＳＩ−ＲＳ設定のうち１つを指示し、指示されたＣＳＩ−ＲＳ設定によって受信されたＣＳＩ−ＲＳ関連設定が解釈される。
【００１７】
上述した本発明の様態は、本発明の好適な実施例の一部に過ぎず、本願発明の技術的特徴が反映された様々な実施例が、当該技術の分野における通常の知識を有する者にとって、以下に詳述する本発明の詳細な説明に基づいて導出され理解され得るだろう。
【発明の効果】
【００１８】
本発明の実施例によれば、チャネル状態報告を効率的に処理することができる。
【００１９】
本発明から得られる効果は以上で言及した効果に制限されず、言及していない他の効果は、以下の記載から、本発明の属する技術の分野における通常の知識を有する者に明確に理解されるであろう。
【図面の簡単な説明】
【００２０】
以下に添付する図面は、本発明に関する理解を助けるために詳細な説明の一部として含まれるものであり、本発明に関する実施例を提供し、詳細な説明と共に本発明の技術的思想を説明する。
【００２１】
【図１】無線通信システムにおいて用いられる無線フレーム構造の一例を示す図である。
【図２】無線通信システムにおいて、下りリンク／上りリンク(ＤＬ／ＵＬ)スロット構造の一例を示す図である。
【図３】３ＧＰＰ ＬＴＥ／ＬＴＥ−Ａシステムにおいて用いられる下りリンク(ｄｏｗｎｌｉｎｋ，ＤＬ)サブフレームの構造を例示する図である。
【図４】３ＧＰＰ ＬＴＥ／ＬＴＥ−Ａシステムにおいて用いられる上りリンク(ｕｐｌｉｎｋ，ＵＬ)サブフレームの構造を例示する図である。
【図５】セルフ−コンテインド(ｓｅｌｆ−ｃｏｎｔａｉｎｅｄ)構造を示す図である。
【図６】複数のシンボルで伝送されるＣＳＩ−ＲＳを示す図である。
【図７】４ポートＣＳＩ−ＲＳリソース集合構成を示す図である。
【図８】時間リソース制限による４ポートＣＳＩ−ＲＳリソース集合構成を示す図である。
【図９】周波数リソース制限による４ポートＣＳＩ−ＲＳリソース集合構成を示す図である。
【図１０】互いに異なるタイプの周波数粒度を有するＣＳＩ−ＲＳを示す図である。
【図１１】２ＲＢにかけて設定されたＣＳＩ−ＲＳリソース集合を示す図である。
【図１２】２ポートＣＳＩ−ＲＳパターン、及び４ポートＣＳＩ−ＲＳパターンを示す図である。
【図１３】基底密度設定によるＣＳＩ−ＲＳパターンを示す図である。
【図１４】ＯＣＣが適用される方向によるＣＳＩ−ＲＳパターンを示す図である。
【図１５】ＣＳＩ−ＲＳ ＲＥ間の周波数オフセットを示す図である。
【図１６】基底密度設定によるＣＳＩ−ＲＳパターンを示す図である。
【図１７】基地局のＴＸＵ(ｔｒａｎｓｍｉｓｓｉｏｎ ｕｎｉｔ)数の制限によるＣＳＩ−ＲＳリソース集合の構成を示す図である。
【図１８】ＤＣＩのＣＳＩ−ＲＳ指示フィールドのサイズ制限によるＣＳＩ−ＲＳリソース集合の構成を示す図である。
【図１９】非周期的ＣＳＩ−ＲＳ指示とそれによるＣＳＩ−ＲＳ伝送タイミングを示す図である。
【図２０】非周期的ＣＳＩ−ＲＳ指示とそれによるＣＳＩ−ＲＳ伝送タイミングを示す図である。
【図２１】非周期的ＣＳＩ−ＲＳ指示とそれによるＣＳＩ−ＲＳ伝送タイミングを示す図である。
【図２２】非周期的ＣＳＩ−ＲＳ指示とそれによるＣＳＩ−ＲＳ伝送タイミングを示す図である。
【図２３】非周期的ＣＳＩ−ＲＳ指示とそれによるＣＳＩ−ＲＳ伝送タイミングを示す図である。
【図２４】非周期的ＣＳＩ−ＲＳ指示とそれによるＣＳＩ−ＲＳ伝送タイミングを示す図である。
【図２５】非周期的ＣＳＩ−ＲＳ指示とそれによるＣＳＩ−ＲＳ伝送タイミングを示す図である。
【図２６】非周期的ＣＳＩ−ＲＳ指示とそれによるＣＳＩ−ＲＳ伝送、また非周期的ＣＳＩ−ＲＳ要請とそれによるＣＳＩフィードバックタイミングを示す図である。
【図２７】非周期的ＣＳＩ−ＲＳ指示とそれによるＣＳＩ−ＲＳ伝送、また非周期的ＣＳＩ−ＲＳ要請とそれによるＣＳＩフィードバックタイミングを示す図である。
【図２８】非周期的ＣＳＩ−ＲＳ指示とそれによるＣＳＩ−ＲＳ伝送、また非周期的ＣＳＩ−ＲＳ要請とそれによるＣＳＩフィードバックタイミングを示す図である。
【図２９】非周期的ＣＳＩ−ＲＳ指示とそれによるＣＳＩ−ＲＳ伝送、また非周期的ＣＳＩ−ＲＳ要請とそれによるＣＳＩフィードバックタイミングを示す図である。
【図３０】ＣＳＩ−ＲＳリソース集合構成を示す図である。
【図３１】ＣＳＩ−ＲＳリソース集合構成を示す図である。
【図３２】ＢＭ(ｂｅａｍ ｍａｎａｇｅｍｅｎｔ)のための手順を示す図である。
【図３３】時間軸リソース上のＢＭ(ｂｅａｍ ｍａｎａｇｅｍｅｎｔ)のためのＣＳＩ−ＲＳおよびＣＳＩのためのＣＳＩ−ＲＳの割り当てを示す図である。
【図３４】周波数軸リソース上のＢＭ(ｂｅａｍ ｍａｎａｇｅｍｅｎｔ)のためのＣＳＩ−ＲＳおよびＣＳＩのためのＣＳＩ−ＲＳの割り当てを示す図である。
【図３５】本発明の一実施例による端末の動作を示す図である。
【図３６】本発明の実施例を具現するための装置のブロック図である。
【発明を実施するための形態】
【００２２】
以下、本発明に係る好適な実施の形態を、添付の図面を参照して詳しく説明する。添付の図面と共に以下に開示される詳細な説明は、本発明の例示的な実施の形態を説明するためのものであり、本発明が実施し得る唯一の実施の形態を示すためのものではない。以下の詳細な説明は、本発明の完全な理解を提供するために具体的な細部事項を含む。しかし、当業者にとってはこのような具体的な細部事項なしにも本発明を実施できることは明らかである。
【００２３】
場合によっては、本発明の概念が曖昧になることを避けるために、公知の構造及び装置を省略したり、各構造及び装置の核心機能を中心にしたブロック図の形式で示すことができる。また、本明細書全体にわたって同一の構成要素については、同一の図面符号を付して説明する。
【００２４】
本発明において、ユーザ機器(ｕｓｅｒ  ｅｑｕｉｐｍｅｎｔ，ＵＥ)は、固定していても、移動性を有していてもよいもので、基地局(ｂａｓｅ  ｓｔａｔｉｏｎ，ＢＳ)と通信してユーザデータ及び／又は各種制御情報を送受信する各種機器を含む。ＵＥを、端末(Ｔｅｒｍｉｎａｌ  Ｅｑｕｉｐｍｅｎｔ)、ＭＳ(Ｍｏｂｉｌｅ  Ｓｔａｔｉｏｎ)、ＭＴ(Ｍｏｂｉｌｅ  Ｔｅｒｍｉｎａｌ)、ＵＴ(Ｕｓｅｒ  Ｔｅｒｍｉｎａｌ)、ＳＳ(Ｓｕｂｓｃｒｉｂｅ  Ｓｔａｔｉｏｎ)、無線機器(ｗｉｒｅｌｅｓｓ  ｄｅｖｉｃｅ)、ＰＤＡ(Ｐｅｒｓｏｎａｌ  Ｄｉｇｉｔａｌ  Ａｓｓｉｓｔａｎｔ)、無線モデム(ｗｉｒｅｌｅｓｓ  ｍｏｄｅｍ)、携帯機器(ｈａｎｄｈｅｌｄ  ｄｅｖｉｃｅ)などと呼ぶこともできる。また、本発明において、ＢＳは一般に、ＵＥ及び／又は他のＢＳと通信する固定局(ｆｉｘｅｄ  ｓｔａｔｉｏｎ)を意味し、ＵＥ及び他のＢＳと通信して各種データ及び制御情報を交換する。ＢＳを、ＡＢＳ(Ａｄｖａｎｃｅｄ  Ｂａｓｅ  Ｓｔａｔｉｏｎ)、ＮＢ(Ｎｏｄｅ−Ｂ)、ｅＮＢ(ｅｖｏｌｖｅｄ−ＮｏｄｅＢ)、ＢＴＳ(Ｂａｓｅ  Ｔｒａｎｓｃｅｉｖｅｒ  Ｓｙｓｔｅｍ)、アクセスポイント(Ａｃｃｅｓｓ  Ｐｏｉｎｔ)、ＰＳ(Ｐｒｏｃｅｓｓｉｎｇ  Ｓｅｒｖｅｒ)、送信ポイント(ｔｒａｎｓｍｉｓｓｉｏｎ  ｐｏｉｎｔ；ＴＰ)などと呼ぶこともできる。以下の本発明に関する説明では、ＢＳをｅＮＢと総称する。
【００２５】
本発明でいうノード(ｎｏｄｅ)とは、ユーザ機器と通信して無線信号を送信／受信できる固定した地点(ｐｏｉｎｔ)を指す。様々な形態のｅＮＢをその名称にかかわらずノードとして用いることができる。例えば、ＢＳ、ＮＢ、ｅＮＢ、ピコ−セルｅＮＢ(ＰｅＮＢ)、ホームｅＮＢ(ＨｅＮＢ)、リレー、リピータなどをノードとすることができる。また、ノードは、ｅＮＢでなくてもよい。例えば、無線リモートヘッド(ｒａｄｉｏ  ｒｅｍｏｔｅ  ｈｅａｄ，ＲＲＨ)、無線リモートユニット(ｒａｄｉｏ  ｒｅｍｏｔｅ  ｕｎｉｔ，ＲＲＵ)であってもよい。ＲＲＨ、ＲＲＵなどは一般にｅＮＢの電力レベル(ｐｏｗｅｒ  ｌｅｖｅｌ)よりも低い電力レベルを有する。ＲＲＨ或いはＲＲＵ(以下、ＲＲＨ／ＲＲＵ)は一般に、光ケーブルなどの専用回線(ｄｅｄｉｃａｔｅｄ  ｌｉｎｅ)でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント(ｐｏｉｎｔ)と呼ばれることもある。アンテナが基地局に集中して位置して１つのｅＮＢコントローラ(ｃｏｎｔｒｏｌｌｅｒ)によって制御される既存の(ｃｏｎｖｅｎｔｉｏｎａｌ)中央集中型アンテナシステム(ｃｅｎｔｒａｌｉｚｅｄ  ａｎｔｅｎｎａ  ｓｙｓｔｅｍ，ＣＡＳ)(すなわち、単一ノードシステム)と違い、多重ノードシステムにおいて複数のノードは一般に一定間隔以上で離れて位置する。これらの複数のノードは、各ノードの動作を制御したり、各ノードを通して送／受信されるデータをスケジューリング(ｓｃｈｅｄｕｌｉｎｇ)する１つ以上のｅＮＢ或いはｅＮＢコントローラによって管理することができる。各ノードは、当該ノードを管理するｅＮＢ或いはｅＮＢコントローラとケーブル(ｃａｂｌｅ)或いは専用回線(ｄｅｄｉｃａｔｅｄ  ｌｉｎｅ)で接続することができる。多重ノードシステムにおいて、複数のノードへの／からの信号送信／受信には、同一のセル識別子(ｉｄｅｎｔｉｔｙ，ＩＤ)が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル(例えば、マクロ−セル／フェムト−セル／ピコ−セル)システムと見なすことができる。複数のノードのそれぞれが形成した多重セルがカバレッジによってオーバーレイする形態で構成されると、これらの多重セルが形成したネットワークを特に多重−階層(ｍｕｌｔｉ−ｔｉｅｒ)ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００２６】
以下に説明する本発明の多重ノードシステムにおいて、複数のノードに接続した１つ以上のｅＮＢ或いはｅＮＢコントローラが、前記複数のノードの一部又は全てを介してＵＥに同時に信号を送信或いは受信するように前記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム(例えば、ＣＡＳ、従来のＭＩＭＯシステム、従来の中継システム、従来のリピータシステムなど)とは異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ(Ｃｒｏｓｓ  ｐｏｌａｒｉｚｅｄ)アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００２７】
複数の送信(Ｔｘ)／受信(Ｒｘ)ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ ＭＩＭＯ又はＣｏＭＰ(Ｃｏｏｒｄｉｎａｔｅｄ  Ｍｕｌｔｉ−Ｐｏｉｎｔ  ＴＸ／ＲＸ)という。このようなノード間協調通信のうち、協調送信技法は、ＪＰ(ｊｏｉｎｔ  ｐｒｏｃｅｓｓｉｎｇ)とスケジューリング協調(ｓｃｈｅｄｕｌｉｎｇ  ｃｏｏｒｄｉｎａｔｉｏｎ)とに区別できる。前者はＪＴ(ｊｏｉｎｔ  ｔｒａｎｓｍｉｓｓｉｏｎ)／ＪＲ(ｊｏｉｎｔ  ｒｅｃｅｐｔｉｏｎ)とＤＰＳ(ｄｙｎａｍｉｃ  ｐｏｉｎｔ  ｓｅｌｅｃｔｉｏｎ)とに区別し、後者はＣＳ(ｃｏｏｒｄｉｎａｔｅｄ  ｓｃｈｅｄｕｌｉｎｇ)とＣＢ(ｃｏｏｒｄｉｎａｔｅｄ  ｂｅａｍｆｏｒｍｉｎｇ)とに区別できる。ＤＰＳは、ＤＣＳ(ｄｙｎａｍｉｃ  ｃｅｌｌ  ｓｅｌｅｃｔｉｏｎ)と呼ぶこともできる。他の協調通信技法に比べて、ノード間協調通信技法のうちＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、前記複数のノードから受信した信号を合成して前記ストリームを復元する。ＪＴ／ＪＲでは、同一のストリームが複数のノードから／に送信されるため、送信ダイバーシティ(ｄｉｖｅｒｓｉｔｙ)によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャネル状態の良いノードが通信ノードとして選択されるはずであるため、信号送信の信頼度を向上させることができる。
【００２８】
本発明でいうセル(ｃｅｌｌ)とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル(ｓｅｒｖｉｎｇ  ｃｅｌｌ)という。また、特定セルのチャネル状態／品質は、該特定セルに通信サービスを提供するｅＮＢ或いはノードとＵＥ間に形成されたチャネル或いは通信リンクのチャネル状態／品質を意味する。３ＧＰＰ ＬＥＴ−Ａベースのシステムにおいて、ＵＥは、特定ノードからの下りリンクチャネル状態を、前記特定ノードのアンテナポートが前記特定ノードに割り当てられたチャネルＣＳＩ−ＲＳ(Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ)リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成(ｒｅｓｏｕｒｃｅ  ｃｏｎｆｉｇｕｒａｔｉｏｎ)、サブフレームオフセット(ｏｆｆｓｅｔ)及び送信周期(ｔｒａｎｓｍｉｓｓｉｏｎ  ｐｅｒｉｏｄ)などによってＣＳＩ−ＲＳが割り当てられたサブフレームを特定するサブフレーム構成(ｓｕｂｆｒａｍｅ  ｃｏｎｆｉｇｕｒａｔｉｏｎ)、ＣＳＩ−ＲＳシーケンスのうちの少なくとも１つが互いに異なることを意味する。
【００２９】
本発明において、ＰＤＣＣＨ(Ｐｈｙｓｉｃａｌ  Ｄｏｗｎｌｉｎｋ  Ｃｏｎｔｒｏｌ  ＣＨａｎｎｅｌ)／ＰＣＦＩＣＨ(Ｐｈｙｓｉｃａｌ  Ｃｏｎｔｒｏｌ  Ｆｏｒｍａｔ  Ｉｎｄｉｃａｔｏｒ  ＣＨａｎｎｅｌ)／ＰＨＩＣＨ(Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ)／ＰＤＳＣＨ(Ｐｈｙｓｉｃａｌ  Ｄｏｗｎｌｉｎｋ  Ｓｈａｒｅｄ  ＣＨａｎｎｅｌ)はそれぞれ、ＤＣＩ(Ｄｏｗｎｌｉｎｋ  Ｃｏｎｔｒｏｌ  Ｉｎｆｏｒｍａｔｉｏｎ)／ＣＦＩ(Ｃｏｎｔｒｏｌ  Ｆｏｒｍａｔ  Ｉｎｄｉｃａｔｏｒ)／下りリンクＡＣＫ／ＮＡＣＫ(ＡＣＫｎｏｗｌｅｇｅｍｅｎｔ／Ｎｅｇａｔｉｖｅ  ＡＣＫ)／下りリンクデータを運ぶ時間−周波数リソースの集合或いはリソース要素の集合を意味する。また、ＰＵＣＣＨ(Ｐｈｙｓｉｃａｌ  Ｕｐｌｉｎｋ  Ｃｏｎｔｒｏｌ  ＣＨａｎｎｅｌ)／ＰＵＳＣＨ(Ｐｈｙｓｉｃａｌ  Ｕｐｌｉｎｋ  Ｓｈａｒｅｄ  ＣＨａｎｎｅｌ)／ＰＲＡＣＨ(Ｐｈｙｓｉｃａｌ  Ｒａｎｄｏｍ  Ａｃｃｅｓｓ  ＣＨａｎｎｅｌ)はそれぞれ、ＵＣＩ(Ｕｐｌｉｎｋ  Ｃｏｎｔｒｏｌ  Ｉｎｆｏｒｍａｔｉｏｎ)／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素(Ｒｅｓｏｕｒｃｅ  Ｅｌｅｍｅｎｔ，ＲＥ)をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００３０】
図１は、無線通信システムで用いられる無線フレーム構造の一例を示す図である。特に、図１(ａ)は、３ＧＰＰ ＬＥＴ／ＬＥＴ−Ａシステムで用いられる周波数分割デュプレックス(ｆｒｅｑｕｅｎｃｙ  ｄｉｖｉｓｉｏｎ  ｄｕｐｌｅｘ，ＦＤＤ)用フレーム構造を示しており、図１(ｂ)は、３ＧＰＰ ＬＥＴ／ＬＥＴ−Ａシステムで用いられる時間分割デュプレックス(ｔｉｍｅ  ｄｉｖｉｓｉｏｎ  ｄｕｐｌｅｘ，ＴＤＤ)用フレーム構造を示している。
【００３１】
図１を参照すると、３ＧＰＰ ＬＥＴ／ＬＥＴ−Ａシステムで用いられる無線フレームは、１０ｍｓ(３０７２００Ｔｓ)の長さを有し、１０個の均等なサイズのサブフレーム(ｓｕｂｆｒａｍｅ，ＳＦ)で構成される。１無線フレームにおける１０個のサブフレームにはそれぞれ番号を与えることができる。ここで、Ｔｓは、サンプリング時間を表し、Ｔｓ＝１／(２０４８＊１５ｋＨｚ)で表示される。それぞれのサブフレームは、１ｍｓの長さを有し、２個のスロットで構成される。1無線フレームにおいて２０個のスロットには０から１９までの番号を順次に与えることができる。それぞれのスロットは０．５ｍｓの長さを有する。１サブフレームを送信するための時間は、送信時間間隔(ｔｒａｎｓｍｉｓｓｉｏｎ  ｔｉｍｅ  ｉｎｔｅｒｖａｌ，ＴＴＩ)と定義される。時間リソースは、無線フレーム番号(或いは、無線フレームインデックスともいう)、サブフレーム番号(或いは、サブフレームインデックスともいう)、スロット番号(或いは、スロットインデックスともいう)などによって区別することができる。
【００３２】
無線フレームは、デュプレックス(ｄｕｐｌｅｘ)技法によって別々に構成(ｃｏｎｆｉｇｕｒｅ)することができる。例えば、ＦＤＤにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤでは下りリンク送信及び上りリンク送信が時間によって区別されるため、特定周波数帯域に対して無線フレームは下りリンクサブフレームも上りリンクサブフレームも含む。
【００３３】
表１は、ＴＤＤで、無線フレームにおけるサブフレームのＤＬ−ＵＬ構成(ｃｏｎｆｉｇｕｒａｔｉｏｎ)を例示するものである。
【００３４】
【表１】
2019528610.tif 000003
【００３５】
表１で、Ｄは下りリンクサブフレームを、Ｕは上りリンクサブフレームを、Ｓは特異(ｓｐｅｃｉａｌ)サブフレームを表す。特異サブフレームは、ＤｗＰＴＳ(Ｄｏｗｎｌｉｎｋ  Ｐｉｌｏｔ  ＴｉｍｅＳｌｏｔ)、ＧＰ(Ｇｕａｒｄ  Ｐｅｒｉｏｄ)、ＵｐＰＴＳ(Ｕｐｌｉｎｋ  Ｐｉｌｏｔ  ＴｉｍｅＳｌｏｔ)の３つのフィールドを含む。ＤｗＰＴＳは、下りリンク送信のために留保される時間区間であり、ＵｐＰＴＳは上りリンク送信のために留保される時間区間である。表２は、特異サブフレーム構成(ｃｏｎｆｉｇｕｒａｔｉｏｎ)を例示するものである。
【００３６】
【表２】
2019528610.tif 000004
【００３７】
図２は、無線通信システムにおいて下りリンク／上りリンク(ＤＬ／ＵＬ)スロット構造の一例を示す図である。特に、図２は、３ＧＰＰ ＬＥＴ／ＬＥＴ−Ａシステムのリソース格子(ｒｅｓｏｕｒｃｅ  ｇｒｉｄ)の構造を示す。アンテナポート当たりに１個のリソース格子がある。
【００３８】
図２を参照すると、スロットは、時間ドメインで複数のＯＦＤＭ(Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ)シンボルを含み、周波数ドメインで複数のリソースブロック(ｒｅｓｏｕｒｃｅ  ｂｌｏｃｋ，ＲＢ)を含む。ＯＦＤＭシンボルは、１シンボル区間を意味することもある。図２を参照すると、各スロットで送信される信号は、
2019528610.tif 000005
個の副搬送波(ｓｕｂｃａｒｒｉｅｒ)と
2019528610.tif 000006
個のＯＦＤＭシンボルとで構成されるリソース格子(ｒｅｓｏｕｒｃｅ  ｇｒｉｄ)と表現することができる。ここで、
2019528610.tif 000007
は、下りリンクスロットにおけるリソースブロック(ｒｅｓｏｕｒｃｅ  ｂｌｏｃｋ，ＲＢ)の個数を表し、
2019528610.tif 000008
は、ＵＬスロットにおけるＲＢの個数を表す。
2019528610.tif 000009
と
2019528610.tif 000010
は、ＤＬ送信帯域幅とＵＬ送信帯域幅にそれぞれ依存する。
2019528610.tif 000011
は、下りリンクスロットにおけるＯＦＤＭシンボルの個数を表し、
2019528610.tif 000012
は、ＵＬスロットにおけるＯＦＤＭシンボルの個数を表す。
2019528610.tif 000013
は、１つのＲＢを構成する副搬送波の個数を表す。
【００３９】
ＯＦＤＭシンボルは、多重接続方式によって、ＯＦＤＭシンボル、ＳＣ−ＦＤＭ(Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ)シンボルなどと呼ぶことができる。１つのスロットに含まれるＯＦＤＭシンボルの数は、チャネル帯域幅、ＣＰ(ｃｙｃｌｉｃ  ｐｒｅｆｉｘ)長によって様々に変更可能である。例えば、正規(ｎｏｒｍａｌ)ＣＰの場合は、１つのスロットが７個のＯＦＤＭシンボルを含むが、拡張(ｅｘｔｅｎｄｅｄ)ＣＰの場合は、１つのスロットが６個のＯＦＤＭシンボルを含む。図２では、説明の便宜のために、１つのスロットが７ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、
2019528610.tif 000014
個の副搬送波を含む。副搬送波の類型は、データ送信のためのデータ副搬送波、参照信号(ｒｅｆｅｒｅｎｃｅ  ｓｉｇｎａｌ)の送信のための参照信号副搬送波、ガードバンド(ｇｕａｒｄ  ｂａｎｄ)及び直流(Ｄｉｒｅｃｔ  Ｃｕｒｒｅｎｔ，ＤＣ)成分のためのヌル(ｎｕｌｌ)副搬送波に分類することができる。ＤＣ成分のためのヌル副搬送波は、未使用のまま残される副搬送波であり、ＯＦＤＭ信号生成過程或いは周波数上り変換過程で搬送波周波数(ｃａｒｒｉｅｒ  ｆｒｅｑｕｅｎｃｙ，ｆ０)にマッピング(ｍａｐｐｉｎｇ)される。搬送波周波数は中心周波数(ｃｅｎｔｅｒ  ｆｒｅｑｕｅｎｃｙ)と呼ばれることもある。
【００４０】
１ＲＢは、時間ドメインで
2019528610.tif 000015
個(例えば、７個)の連続するＯＦＤＭシンボルと定義され、周波数ドメインで
2019528610.tif 000016
個(例えば、１２個)の連続する副搬送波と定義される。参考として、１つのＯＦＤＭシンボルと１つの副搬送波で構成されたリソースをリソース要素(ｒｅｓｏｕｒｃｅ  ｅｌｅｍｅｎｔ，ＲＥ)或いはトーン(ｔｏｎｅ)という。したがって、１つのＲＢは、
2019528610.tif 000017
個のリソース要素で構成される。リソース格子における各リソース要素は、１つのスロットにおけるインデックス対(ｋ，１)によって固有に定義できる。ｋは、周波数ドメインで０から
2019528610.tif 000018
まで与えられるインデックスであり、ｌは、時間ドメインで０から
2019528610.tif 000019
まで与えられるインデックスである。
【００４１】
１サブフレームにおいて
2019528610.tif 000020
個の連続した同一副搬送波を占有しながら、当該サブフレームにおける２個のスロットのそれぞれに１個ずつ位置する２個のＲＢを物理リソースブロック(ｐｈｙｓｉｃａｌ  ｒｅｓｏｕｒｃｅ  ｂｌｏｃｋ，ＰＲＢ)対(ｐａｉｒ)という。ＰＲＢ対を構成する２個のＲＢは、同一のＰＲＢ番号(或いは、ＰＲＢインデックス(ｉｎｄｅｘ)ともいう)を有する。ＶＲＢは、リソース割り当てのために導入された一種の論理的リソース割り当て単位である。ＶＲＢはＰＲＢと同じサイズを有する。ＶＲＢをＰＲＢにマッピングする方式によって、ＶＲＢは、局部(ｌｏｃａｌｉｚｅｄ)タイプのＶＲＢと分散(ｄｉｓｔｒｉｂｕｔｅｄ)タイプのＶＲＢとに区別される。局部タイプのＶＲＢはＰＲＢに直接マッピングされて、ＶＲＢ番号(ＶＲＢインデックスともいう)がＰＲＢ番号に直接対応する。すなわち、ｎＰＲＢ＝ｎＶＲＢとなる。局部タイプのＶＲＢには０から
2019528610.tif 000021
順に番号が与えられ、
2019528610.tif 000022
である。したがって、局部マッピング方式によれば、同一のＶＲＢ番号を有するＶＲＢが１番目のスロットと２番目のスロットにおいて、同一ＰＲＢ番号のＰＲＢにマッピングされる。一方、分散タイプのＶＲＢはインターリービングを経てＰＲＢにマッピングされる。そのため、同一のＶＲＢ番号を有する分散タイプのＶＲＢは、１番目のスロットと２番目のスロットにおいて互いに異なる番号のＰＲＢにマッピングされることがある。サブフレームの２つのスロットに１個ずつ位置し、同一のＶＲＢ番号を有する２個のＰＲＢをＶＲＢ対と称する。
【００４２】
図３は、３ＧＰＰ ＬＥＴ／ＬＥＴ−Ａシステムで用いられる下りリンク(ｄｏｗｎｌｉｎｋ，ＤＬ)サブフレーム構造を例示する図である。
【００４３】
図３を参照すると、ＤＬサブフレームは、時間ドメインで制御領域(ｃｏｎｔｒｏｌ  ｒｅｇｉｏｎ)とデータ領域(ｄａｔａ  ｒｅｇｉｏｎ)とに区別される。図３を参照すると、サブフレームの第１のスロットで先頭部における最大３(或いは４)個のＯＦＤＭシンボルは、制御チャネルが割り当てられる制御領域(ｃｏｎｔｒｏｌ  ｒｅｇｉｏｎ)に対応する。以下、ＤＬサブフレームでＰＤＣＣＨ送信に利用可能なリソース領域(ｒｅｓｏｕｒｃｅ  ｒｅｇｉｏｎ)をＰＤＣＣＨ領域と称する。制御領域に用いられるＯＦＤＭシンボル以外のＯＦＤＭシンボルは、ＰＤＳＣＨ(Ｐｈｙｓｉｃａｌ Ｄｏｗｎｌｉｎｋ Ｓｈａｒｅｄ ＣＨａｎｃｅｌ)が割り当てられるデータ領域(ｄａｔａ  ｒｅｇｉｏｎ)に該当する。以下、ＤＬサブフレームでＰＤＳＣＨ送信に利用可能なリソース領域をＰＤＳＣＨ領域と称する。３ＧＰＰ ＬＥＴで用いられるＤＬ制御チャネルの例としては、ＰＣＦＩＣＨ(Ｐｈｙｓｉｃａｌ Ｃｏｎｔｒｏｌ Ｆｏｒｍａｔ Ｉｎｄｉｃａｔｏｒ Ｃｈａｎｎｅｌ)、ＰＤＣＣＨ(Ｐｈｙｓｉｃａｌ Ｄｏｗｎｌｉｎｋ Ｃｏｎｔｒｏｌ Ｃｈａｎｎｅｌ)、ＰＨＩＣＨ(Ｐｈｙｓｉｃａｌ ｈｙｂｒｉｄ ＡＲＱ ｉｎｄｉｃａｔｏｒ Ｃｈａｎｎｅｌ)などを含む。ＰＣＦＩＣＨは、サブフレームの最初のＯＦＤＭシンボルで送信され、サブフレームにおいて制御チャネルの送信に用いられるＯＦＤＭシンボルの個数に関する情報を運ぶ。ＰＨＩＣＨは、ＵＬ送信に対する応答としてＨＡＲＱ(Ｈｙｂｒｉｄ  Ａｕｔｏｍａｔｉｃ  Ｒｅｐｅａｔ  Ｒｅｑｕｅｓｔ)ＡＣＫ／ＮＡＣＫ(ａｃｋｎｏｗｌｅｄｇｍｅｎｔ／ｎｅｇａｔｉｖｅ−ａｃｋｎｏｗｌｅｄｇｍｅｎｔ)信号を運ぶ。
【００４４】
ＰＤＣＣＨを介して送信される制御情報を下りリンク制御情報(ｄｏｗｎｌｉｎｋ ｃｏｎｔｒｏｌ ｉｎｆｏｒｍａｔｉｏｎ，ＤＣＩ)と呼ぶ。ＤＣＩは、ＵＥ又はＵＥグループのためのリソース割り当て情報及び他の制御情報を含む。例えば、ＤＣＩは、ＤＬ共有チャネル(ｄｏｗｎｌｉｎｋ  ｓｈａｒｅｄ  ｃｈａｎｎｅｌ，ＤＬ−ＳＣＨ)の送信フォーマット及びリソース割り当て情報、ＵＬ共有チャネル(ｕｐｌｉｎｋ  ｓｈａｒｅｄ  ｃｈａｎｎｅｌ，ＵＬ−ＳＣＨ)の送信フォーマット及びリソース割り当て情報、ページングチャネル(ｐａｇｉｎｇ  ｃｈａｎｎｅｌ，ＰＣＨ)上のページング情報、ＤＬ−ＳＣＨ上のシステム情報、ＰＤＳＣＨ上で送信されるランダムアクセス応答のような上位層(ｕｐｐｅｒ  ｌａｙｅｒ)制御メッセージのリソース割り当て情報、ＵＥグループ内の個別ＵＥへの送信電力制御命令(Ｔｒａｎｓｍｉｔ  Ｃｏｎｔｒｏｌ  Ｃｏｍｍａｎｄ  Ｓｅｔ)、送信電力制御(Ｔｒａｎｓｍｉｔ  Ｐｏｗｅｒ  Ｃｏｎｔｒｏｌ)命令、ＶｏＩＰ(Ｖｏｉｃｅ  ｏｖｅｒ  ＩＰ)の活性化(ａｃｔｉｖａｔｉｏｎ)指示情報、ＤＡＩ(Ｄｏｗｎｌｉｎｋ  Ａｓｓｉｇｎｍｅｎｔ  Ｉｎｄｅｘ)などを含む。ＤＬ共有チャネル(ｄｏｗｎｌｉｎｋ  ｓｈａｒｅｄ  ｃｈａｎｎｅｌ，ＤＬ−ＳＣＨ)の送信フォーマット(Ｔｒａｎｓｍｉｔ  Ｆｏｒｍａｔ)及びリソース割り当て情報は、ＤＬスケジューリング情報或いはＤＬグラント(ＤＬ  ｇｒａｎｔ)とも呼ばれ、ＵＬ共有チャネル(ｕｐｌｉｎｋ  ｓｈａｒｅｄ  ｃｈａｎｎｅｌ，ＵＬ−ＳＣＨ)の送信フォーマット及びリソース割り当て情報は、ＵＬスケジューリング情報或いはＵＬグラント(ＵＬ  ｇｒａｎｔ)とも呼ばれる。１つのＰＤＣＣＨが運ぶＤＣＩは、ＤＣＩフォーマットによってそのサイズと用途が異なり、符号化率によってそのサイズが異なり得る。現在３ＧＰＰ ＬＥＴシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割り当て(ＲＢ  ａｌｌｏｃａｔｉｏｎ)、ＭＣＳ(ｍｏｄｕｌａｔｉｏｎ  ｃｏｄｉｎｇ ｓｃｈｅｍｅ)、ＲＶ(ｒｅｄｕｎｄａｎｃｙ  ｖｅｒｓｉｏｎ)、ＮＤＩ(ｎｅｗ  ｄａｔａ  ｉｎｄｉｃａｔｏｒ)、ＴＰＣ(ｔｒａｎｓｍｉｔ  ｐｏｗｅｒ  ｃｏｎｔｒｏｌ)、循環シフトＤＭＲＳ(ｃｙｃｌｉｃ  ｓｈｉｆｔ  ｄｅｍｏｄｕｌａｔｉｏｎ  ｒｅｆｅｒｅｎｃｅ  ｓｉｇｎａｌ)、ＵＬインデックス、ＣＱＩ(ｃｈａｎｎｅｌ  ｑｕａｌｉｔｙ  ｉｎｆｏｒｍａｔｉｏｎ)要請、ＤＬ割り当てインデックス(ＤＬ  ａｓｓｉｇｎｍｅｎｔ  ｉｎｄｅｘ)、ＨＡＲＱプロセスナンバー、ＴＰＭＩ(ｔｒａｎｓｍｉｔｔｅｄ  ｐｒｅｃｏｄｉｎｇ  ｍａｔｒｉｘ  ｉｎｄｉｃａｔｏｒ)、ＰＭＩ(ｐｒｅｃｏｄｉｎｇ  ｍａｔｒｉｘ  ｉｎｄｉｃａｔｏｒ)情報などの制御情報が適宜選択された組み合わせが下りリンク制御情報としてＵＥに送信される。
【００４５】
一般に、ＵＥに構成された送信モード(ｔｒａｎｓｍｉｓｓｉｏｎ  ｍｏｄｅ，ＴＭ)によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００４６】
ＰＤＣＣＨは、１つ又は複数の連続した制御チャネル要素(ｃｏｎｔｒｏｌ  ｃｈａｎｎｅｌ  ｅｌｅｍｅｎｔ，ＣＣＥ)の集成(ａｇｇｒｅｇａｔｉｏｎ)上で送信される。ＣＣＥは、ＰＤＣＣＨに無線チャネル状態に基づく符号化率(ｃｏｄｉｎｇ  ｒａｔｅ)を提供するために用いられる論理的割り当てユニット(ｕｎｉｔ)である。ＣＣＥは、複数のリソース要素グループ(ｒｅｓｏｕｒｃｅ  ｅｌｅｍｅｎｔ  ｇｒｏｕｐ，ＲＥＧ)に対応する。例えば、１つのＣＣＥは９個のＲＥＧに対応し、１つのＲＥＧは４個のＲＥに対応する。３ＧＰＰ ＬＥＴシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間(Ｓｅａｒｃｈ  Ｓｐａｃｅ，ＳＳ)と呼ぶ。探索空間内でＰＤＣＣＨが送信されてもよい個別リソースをＰＤＣＣＨ候補(ｃａｎｄｉｄａｔｅ)と呼ぶ。ＵＥがモニタリング(ｍｏｎｉｔｏｒｉｎｇ)するＰＤＣＣＨ候補の集合を探索空間と定義する。３ＧＰＰ ＬＥＴ／ＬＥＴ−ＡシステムでそれぞれのＤＣＩフォーマットのための探索空間は異なるサイズを有してもよく、専用(ｄｅｄｉｃａｔｅｄ)探索空間と共通(ｃｏｍｍｏｎ)探索空間とが定義されている。専用探索空間は、ＵＥ−特定(ｓｐｅｃｉｆｉｃ)探索空間であり、それぞれの個別ＵＥのために構成(ｃｏｎｆｉｇｕｒａｔｉｏｎ)される。共通探索空間は、複数のＵＥのために構成される。以下の表は、探索空間を定義する集成レベル(ａｇｇｒｅｇａｔｉｏｎ  ｌｅｖｅｌ)を例示するものである。
【００４７】
【表３】
2019528610.tif 000023
【００４８】
１つのＰＤＣＣＨ候補は、ＣＣＥ集成レベルによって１、２、４又は８個のＣＣＥに対応する。ｅＮＢは、探索空間内の任意のＰＤＣＣＨ候補上で実際のＰＤＣＣＨ(ＤＣＩ)を送信し、ＵＥは、ＰＤＣＣＨ(ＤＣＩ)を探すために探索空間をモニタリングする。ここで、モニタリングとは、全てのモニタリングされるＤＣＩフォーマットによって当該探索空間内の各ＰＤＣＣＨの復号(ｄｅｃｏｄｉｎｇ)を試みる(ａｔｔｅｍｐｔ)ことを意味する。ＵＥは、前記複数のＰＤＣＣＨをモニタリングし、自身のＰＤＣＣＨを検出することができる。基本的に、ＵＥは、自身のＰＤＣＣＨが送信される位置を知らないことから、各サブフレーム毎に当該ＤＣＩフォーマットの全てのＰＤＣＣＨに対して、自身の識別子を有するＰＤＣＣＨを検出するまで復号を試みるが、このような過程をブラインド検出(ｂｌｉｎｄ  ｄｅｔｅｃｔｉｏｎ)(ブラインド復号(ｂｌｉｎｄ  ｄｅｃｏｄｉｎｇ，ＢＤ))という。
【００４９】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨ(Ｐｈｙｓｉｃａｌ  Ｄｏｗｎｌｉｎｋ  Ｓｈａｒｅｄ  ＣＨａｎｎｅｌ)を割り当てることができる。ＰＣＨ(Ｐａｇｉｎｇ  ｃｈａｎｎｅｌ)及びＤＬ−ＳＣＨ(Ｄｏｗｎｌｉｎｋ−ｓｈａｒｅｄ  ｃｈａｎｎｅｌ)は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、前記ＵＥ或いはＵＥグループがどのようにＰＤＳＣＨデータを受信して復号すればよいかなどを示す情報がＰＤＣＣＨに含まれて送信される。例えば、特定ＰＤＣＣＨが「Ａ」というＲＮＴＩ(Ｒａｄｉｏ  Ｎｅｔｗｏｒｋ  Ｔｅｍｐｏｒａｒｙ  Ｉｄｅｎｔｉｔｙ)でＣＲＣ(ｃｙｃｌｉｃ  ｒｅｄｕｎｄａｎｃｙ  ｃｈｅｃｋ)マスキング(ｍａｓｋｉｎｇ)されており、「Ｂ」という無線リソース(例、周波数位置)及び「Ｃ」という送信形式情報(例、送信ブロックサイズ、変調方式、コーディング情報など)を用いて送信されるデータに関する情報が特定ＤＬサブフレームで送信されると仮定する。ＵＥは、自身の所有しているＲＮＴＩ情報を用いてＰＤＣＣＨをモニタリングし、「Ａ」というＲＮＴＩを有しているＵＥはＰＤＣＣＨを検出し、受信したＰＤＣＣＨの情報によって「Ｂ」と「Ｃ」で示されるＰＤＳＣＨを受信する。
【００５０】
ＵＥがｅＮＢから受信した信号を復調するには、データ信号と比較する参照信号(ｒｅｆｅｒｅｎｃｅ  ｓｉｇｎａｌ，ＲＳ)が必要である。参照信号とは、ｅＮＢがＵＥに或いはＵＥがｅＮＢに送信する、ｅＮＢとＵＥが互いに知っている、予め定義された特別な波形の信号を意味し、パイロット(ｐｉｌｏｔ)とも呼ばれる。参照信号は、セル内の全ＵＥに共用されるセル−特定(ｃｅｌｌ−ｓｐｅｃｉｆｉｃ)ＲＳと特定ＵＥに専用される復調(ｄｅｍｏｄｕｌａｔｉｏｎ)ＲＳ(ＤＭ ＲＳ)とに区別される。ｅＮＢが特定ＵＥのための下りリンクデータの復調のために送信するＤＭ ＲＳをＵＥ−特定的(ＵＥ−ｓｐｅｃｉｆｉｃ)ＲＳと特別に称することもできる。下りリンクでＤＭ ＲＳとＣＲＳは共に送信されてもよいが、いずれか一方のみが送信されてもよい。ただし、下りリンクでＣＲＳ無しにＤＭ ＲＳのみが送信される場合、データと同じプリコーダを適用して送信されるＤＭ ＲＳは復調の目的にのみ用いることができるため、チャネル測定用ＲＳを別途に提供しなければならない。例えば、３ＧＰＰ ＬＥＴ(−Ａ)では、ＵＥがチャネル状態情報を測定できるようにするために、追加の測定用ＲＳであるＣＳＩ−ＲＳが当該ＵＥに送信される。ＣＳＩ−ＲＳは、チャネル状態について相対的に時間による変化度が大きくないという事実に着目し、各サブフレーム毎に送信されるＣＲＳとは違い、複数のサブフレームで構成される所定の送信周期毎に送信される。
【００５１】
図４は、３ＧＰＰ ＬＥＴ／ＬＥＴ−Ａシステムで用いられる上りリンク(ｕｐｌｉｎｋ，ＵＬ)サブフレーム構造の一例を示す図である。
【００５２】
図４を参照すると、ＵＬサブフレームは、周波数ドメインで制御領域とデータ領域とに区別できる。１つ又は複数のＰＵＣＣＨ(ｐｈｙｓｉｃａｌ ｕｐｌｉｎｋ ｃｏｎｔｒｏｌ ｃｈａｎｎｅｌｓ)を上りリンク制御情報(ｕｐｌｉｎｋ ｃｏｎｔｒｏｌ ｉｎｆｏｒｍａｔｉｏｎ，ＵＣＩ)を運ぶために制御領域に割り当てることができる。１つ又は複数のＰＵＳＣＨ(ｐｈｙｓｉｃａｌ ｕｐｌｉｎｋ ｓｈａｒｅｄ ｃｈａｎｎｅｌｓ)がユーザデータを運ぶためにＵＬサブフレームのデータ領域に割り当てられてもよい。
【００５３】
ＵＬサブフレームではＤＣ(Ｄｉｒｅｃｔ  Ｃｕｒｒｅｎｔ)副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマッピングされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００５４】
ＰＵＣＣＨは、次の制御情報を送信するために用いることができる。
【００５５】
−ＳＲ(Ｓｃｈｅｄｕｌｉｎｇ  Ｒｅｑｕｅｓｔ)：上りリンクＵＬ−ＳＣＨリソースを要請するために用いられる情報である。ＯＯＫ(Ｏｎ−Ｏｆｆ  Ｋｅｙｉｎｇ)方式を用いて送信される。
【００５６】
−ＨＡＲＱ−ＡＣＫ：ＰＤＣＣＨに対する応答及び／又はＰＤＳＣＨ上の下りリンクデータパケット(例、コードワード)に対する応答である。ＰＤＣＣＨ或いはＰＤＳＣＨが成功的に受信されたか否かを示す。単一下りリンクコードワードに対する応答としてＨＡＲＱ−ＡＣＫ １ビットが送信され、２つの下りリンクコードワードに対する応答としてＨＡＲＱ−ＡＣＫ ２ビットが送信される。ＨＡＲＱ−ＡＣＫ応答は、ポジティブＡＣＫ(簡単に、ＡＣＫ)、ネガティブＡＣＫ(以下、ＮＡＣＫ)、ＤＴＸ(Ｄｉｓｃｏｎｔｉｎｕｏｕｓ  Ｔｒａｎｓｍｉｓｓｉｏｎ)又はＮＡＣＫ／ＤＴＸを含む。ここで、ＨＡＲＱ−ＡＣＫという用語は、ＨＡＲＱ ＡＣＫ／ＮＡＣＫ、ＡＣＫ／ＮＡＣＫと同じ意味で使われる。
【００５７】
−ＣＳＩ(Ｃｈａｎｎｅｌ  Ｓｔａｔｅ  Ｉｎｆｏｒｍａｔｉｏｎ)：下りリンクチャネルに対するフィードバック情報(ｆｅｅｄｂａｃｋ  ｉｎｆｏｒｍａｔｉｏｎ)である。ＭＩＭＯ(Ｍｕｌｔｉｐｌｅ  Ｉｎｐｕｔ  Ｍｕｌｔｉｐｌｅ  Ｏｕｔｐｕｔ)−関連フィードバック情報は、ＲＩ(Ｒａｎｋ  Ｉｎｄｉｃａｔｏｒ)及びＰＭＩ(Ｐｒｅｃｏｄｉｎｇ  Ｍａｔｒｉｘ  Ｉｎｄｉｃａｔｏｒ)を含む。
【００５８】
ＵＥがサブフレームで送信可能な上りリンク制御情報(ＵＣＩ)の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ(Ｓｏｕｎｄｉｎｇ  Ｒｅｆｅｒｅｎｃｅ  Ｓｉｇｎａｌ)が構成されているサブフレームでは、サブフレームの最後のＳＣ−ＦＤＭＡシンボルも除く。参照信号は、ＰＵＣＣＨのコヒーレント(ｃｏｈｅｒｅｎｔ)検出に用いられる。ＰＵＣＣＨは、送信される情報によって様々なフォーマットを支援する。
【００５９】
下記の表４に、ＬＥＴ／ＬＥＴ−ＡシステムでＰＵＣＣＨフォーマットとＵＣＩとのマッピング関係を示す。
【００６０】
【表４】
2019528610.tif 000024
【００６１】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャネル状態情報(ｃｈａｎｎｅｌ  ｓｔａｔｅ  ｉｎｆｏｒｍａｔｉｏｎ，ＣＳＩ)を運ぶために用いられ、ＰＵＣＣＨフォーマット３系列はＡＣＫ／ＮＡＣＫ情報を送信するために用いられる。
【００６２】
参照信号(Ｒｅｆｅｒｅｎｃｅ  Ｓｉｇｎａｌ；ＲＳ)
【００６３】
無線通信システムにおいてパケットを送信する時、パケットは無線チャネルを通じて送信されるため、送信過程で信号の歪みが発生することがある。歪まれた信号を受信側で正しく受信するためには、チャネル情報を用いて受信信号において歪みを補正しなければならない。チャネル情報を知るために、送信側と受信側の両方で知っている信号を送信し、該信号がチャネルを通じて受信される時の歪みの度合からチャネル情報を把握する方法を主に用いる。この信号をパイロット信号(Ｐｉｌｏｔ  Ｓｉｇｎａｌ)又は参照信号(Ｒｅｆｅｒｅｎｃｅ  Ｓｉｇｎａｌ)という。
【００６４】
多重アンテナを用いてデータを送受信する場合には、各送信アンテナと受信アンテナ間のチャネル状況を知ってこそ正しい信号を受信することができる。したがって、各送信アンテナ別に、より詳しくはアンテナポート(ａｎｔｅｎｎａ  ｐｏｒｔ)別に異なった参照信号が存在しなければならない。
【００６５】
参照信号は上りリンク参照信号と下りリンク参照信号とに区別できる。現在、ＬＥＴシステムには、上りリンク参照信号として、
【００６６】
ｉ)ＰＵＳＣＨ及びＰＵＣＣＨを通じて送信された情報のコヒーレント(ｃｏｈｅｒｅｎｔ)な復調のためのチャネル推定のための復調参照信号(ＤｅＭｏｄｕｌａｔｉｏｎ−Ｒｅｆｅｒｅｎｃｅ  Ｓｉｇｎａｌ，ＤＭ−ＲＳ)
【００６７】
ii)基地局が、ネットワークの異なる周波数における上りリンクチャネル品質を測定するためのサウンディング参照信号(Ｓｏｕｎｄｉｎｇ  Ｒｅｆｅｒｅｎｃｅ  Ｓｉｇｎａｌ，ＳＲＳ)がある。
【００６８】
一方、下りリンク参照信号としては、
【００６９】
ｉ)セル内の全ての端末が共有するセル−特定参照信号(Ｃｅｌｌ−ｓｐｅｃｉｆｉｃ  Ｒｅｆｅｒｅｎｃｅ  Ｓｉｇｎａｌ，ＣＲＳ)
【００７０】
ii)特定端末だけのための端末−特定参照信号(ＵＥ−ｓｐｅｃｉｆｉｃ  Ｒｅｆｅｒｅｎｃｅ  Ｓｉｇｎａｌ)
【００７１】
iii)ＰＤＳＣＨが送信される場合に、コヒーレントな復調のために送信される(ＤｅＭｏｄｕｌａｔｉｏｎ−Ｒｅｆｅｒｅｎｃｅ  Ｓｉｇｎａｌ，ＤＭ−ＲＳ)
【００７２】
iv)下りリンクＤＭＲＳが送信される場合に、チャネル状態情報(Ｃｈａｎｎｅｌ  Ｓｔａｔｅ  Ｉｎｆｏｒｍａｔｉｏｎ；ＣＳＩ)を伝達するためのチャネル状態情報参照信号(Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ，ＣＳＩ−ＲＳ)
【００７３】
ｖ)ＭＢＳＦＮ(Ｍｕｌｔｉｍｅｄｉａ  Ｂｒｏａｄｃａｓｔ  Ｓｉｎｇｌｅ  Ｆｒｅｑｕｅｎｃｙ  Ｎｅｔｗｏｒｋ)モードで送信される信号に対するコヒーレントな復調のために送信されるＭＢＳＦＮ参照信号(ＭＢＳＦＮ  Ｒｅｆｅｒｅｎｃｅ  Ｓｉｇｎａｌ)
【００７４】
vi)端末の地理的位置情報を推定するために用いられる位置参照信号(Ｐｏｓｉｔｉｏｎｉｎｇ  Ｒｅｆｅｒｅｎｃｅ  Ｓｉｇｎａｌ)がある。
【００７５】
参照信号はその目的によって２種類に大別できる。チャネル情報取得のために用いられる参照信号と、データ復調のために用いられる参照信号とがある。前者は、ＵＥが下りリンク上のチャネル情報を取得できるようにすることに目的があるため、広帯域に送信されなければならず、特定サブフレームで下りリンクデータを受信しない端末であってもその参照信号を受信しなければならない。また、これはハンドオーバーなどの状況でも用いられる。後者は、基地局が下りリンクを送る時に該当のリソースに共に送る参照信号であって、端末は当該参照信号を受信することによってチャネル測定をしてデータを復調することが可能になる。この参照信号は、データの送信される領域で送信されなければならない。
【００７６】
ＣＳＩ報告
【００７７】
３ＧＰＰ ＬＴＥ(−Ａ)システムでは、ユーザ機器(ＵＥ)がチャネル状態情報(ＣＳＩ)を基地局(ＢＳ)に報告するように定義されており、チャネル状態情報(ＣＳＩ)とは、ＵＥとアンテナポートとの間に形成される無線チャネル(又は、リンクともいう)の品質を示すことのできる情報を総称する。例えば、ランク指示子(ｒａｎｋ ｉｎｄｉｃａｔｏｒ，ＲＩ)、プリコーディング行列指示子(ｐｒｅｃｏｄｉｎｇ ｍａｔｒｉｘ ｉｎｄｉｃａｔｏｒ，ＰＭＩ)、チャネル品質指示子(ｃｈａｎｎｅｌ ｑｕａｌｉｔｙ ｉｎｄｉｃａｔｏｒ，ＣＱＩ)などがある。ここで、ＲＩは、チャネルのランク(ｒａｎｋ)情報を示し、これはＵＥが同一の時間−周波数リソースを通じて受信するストリームの数を意味する。この値は、チャネルの長期フェーディング(ｆａｄｉｎｇ)によって従属されて決定されるため、通常、ＰＭＩ、ＣＱＩよりも長い周期を有してＵＥからＢＳにフィードバックされる。ＰＭＩは、チャネル空間特性を反映した値であって、ＳＩＮＲなどのメートル(ｍｅｔｒｉｃ)に基づいて、ＵＥが選好するプレコーディングインデックスを示す。ＣＱＩは、チャネルの強さを示す値であって、通常、ＢＳがＰＭＩを用いるときに得られる受信ＳＩＮＲを意味する。
【００７８】
上述した無線チャネルの測定に基づいて、ＵＥは、現在のチャネル状態下において前記ＢＳによって使用される場合、最適又は最高の送信レートが導出できる選好されるＰＭＩ及びＲＩを計算して、計算されたＰＭＩ及びＲＩをＢＳにフィードバックする。ここで、ＣＱＩは、フィードバックされたＰＭＩ／ＲＩに対する受容可能なパケットエラー率(ｐａｃｋｅｔ ｅｒｒｏｒ ｐｒｏｂａｂｉｌｉｔｙ)を提供する変調及びコーディング方式(ｍｏｄｕｌａｔｉｏｎ ａｎｄ ｃｏｄｉｎｇ ｓｃｈｅｍｅ)を称する。
【００７９】
一方、より精密なＭＵ−ＭＩＭＯと明示的なＣｏＭＰ動作が期待されるＬＴＥ−Ａシステムにおいて、現在のＣＳＩフィードバックはＬＴＥで定義されており、よって、新たに導入される上述した動作を十分に支援することができない。ＣＳＩフィードバックの正確度に対する要求事項が十分なＭＵ−ＭＩＭＯ又はＣｏＭＰスループット(ｔｈｒｏｕｇｈｐｕｔ)利得を得るためにますますややこしくなるにつれて、ＰＭＩが長期(ｌｏｎｇ ｔｅｒｍ)／広帯域(ｗｉｄｅｂａｎｄ)ＰＭＩ(Ｗ１)、及び短期(ｓｈｏｒｔ ｔｅｒｍ)/サブバンド(ｓｕｂｂａｎｄ)ＰＭＩ(Ｗ２)の２つで構成されるように合議されている。換言すれば、最終のＰＭＩは、Ｗ１とＷ２の関数で表現される。例えば、最終のＰＭＩ Ｗは以下のように定義されてもよい：Ｗ＝Ｗ１＊Ｗ２ ｏｒ Ｗ＝Ｗ２＊Ｗ１。よって、ＬＴＥ−ＡにおいてＣＳＩはＲＩ、Ｗ１、Ｗ２及びＣＱＩからなる。
【００８０】
３ＧＰＰ ＬＴＥ(−Ａ)システムにおいてＣＳＩ送信のために用いられる上りリンクチャネルは、以下の表５のようである。
【００８１】
【表５】
2019528610.tif 000025
【００８２】
表５を参照すると、ＣＳＩは上位層で定められた周期で物理上りリンク制御チャネル(Ｐｈｙｓｉｃａｌ Ｕｐｌｉｎｋ Ｃｏｎｔｒｏｌ Ｃｈａｎｎｅｌ，ＰＵＣＣＨ)を用いて送信されてもよく、スケジューラの必要に応じて非周期的に物理上りリンク共有チャネル(Ｐｈｙｓｉｃａｌ Ｕｐｌｉｎｋ Ｓｈａｒｅｄ Ｃｈａｎｎｅｌ，ＰＵＳＣＨ)を用いて送信されてもよい。ＣＳＩがＰＵＳＣＨで送信される場合は、周波数選択的なスケジューリング方式及び非周期的ＣＳＩ送信である場合に限る。以下では、スケジューリング方式及び周期性によるＣＳＩ送信方式を説明する。
【００８３】
１）ＣＳＩ送信要請制御信号(ＣＳＩ ｒｅｑｕｅｓｔ)を受信した後、ＰＵＳＣＨを通じたＣＱＩ／ＰＭＩ／ＲＩ送信
【００８４】
ＰＤＣＣＨ信号で送信されるＰＵＳＣＨスケジューリング制御信号(ＵＬ Ｇｒａｎｔ)にＣＳＩを送信するように要請する制御信号が含まれてもよい。以下の表は、ＰＵＳＣＨによってＣＱＩ、ＰＭＩ、ＲＩを送信するときのＵＥのモードを示す。
【００８５】
【表６】
2019528610.tif 000026
【００８６】
表６の送信モードは、上位レイヤから選択され、ＣＱＩ／ＰＭＩ／ＲＩは、いずれも同じＰＵＳＣＨサブフレームで送信される。以下では、各モードによるＵＥの上りリンク送信方法について説明する。
【００８７】
モード１−２(Ｍｏｄｅ １−２)は、各々のサブバンドに対してデータがサブバンドのみを通じて送信されると仮定して、プレコーディング行列を選択する場合を示す。ＵＥは、システム帯域又は上位レイヤで指定した帯域(ｓｅｔ Ｓ)全体に対して選択したプレコーディング行列を仮定してＣＱＩを生成する。モード１−２において、ＵＥは、ＣＱＩと各サブバンドのＰＭＩ値を送信することができる。このとき、各サブバンドのサイズは、システム帯域のサイズに応じて異なってもよい。
【００８８】
モード２−０(Ｍｏｄｅ ２−０)のＵＥは、システム帯域又は上位レイヤで指定した帯域(ｓｅｔ Ｓ)に対して、選好するＭ個のサブバンドを選択することができる。ＵＥは選択したＭ個のサブバンドに対してデータを送信すると仮定して、１つのＣＱＩ値を生成することができる。さらに、ＵＥは、システム帯域又はｓｅｔ Ｓに対して、１つのＣＱＩ(ｗｉｄｅｂａｎｄ ＣＱＩ)値を報告することが望ましい。ＵＥは、選択したＭ個のサブバンドに対して、複数のコードワードがある場合、各コードワードに対するＣＱＩ値を差分の形式で定義する。
【００８９】
このとき、差分ＣＱＩ値は、選択したＭ個のサブバンドに対するＣＱＩ値に該当するインデックスと広帯域ＣＱＩ(ＷＢ−ＣＱＩ：Ｗｉｄｅｂａｎｄ ＣＱＩ)インデックスとの差分値で決定される。
【００９０】
モード２−０のＵＥは、選択したＭ個のサブバンドの位置に対する情報、選択したＭ個のサブバンドに対する１つのＣＱＩ値及び全帯域又は指定帯域(ｓｅｔ Ｓ)に対して生成したＣＱＩ値をＢＳに送信することができる。このとき、サブバンドのサイズ及びＭ値は、システム帯域のサイズに応じて異なってもよい。
【００９１】
モード２−２(Ｍｏｄｅ ２−２)のＵＥは、Ｍ個の選好するサブバンドを通じてデータを送信すると仮定して、Ｍ個の選好サブバンドの位置とＭ個の選好サブバンドに対する単一プレコーディング行列を同時に選択することができる。このとき、Ｍ個の選好サブバンドに対するＣＱＩ値は、各コードワード毎に定義される。さらに、ＵＥは、システム帯域又は指定帯域(ｓｅｔ Ｓ)に対して広帯域ＣＱＩ(ｗｉｄｅｂａｎｄ ＣＱＩ)値を生成する。
【００９２】
モード２−２のＵＥは、Ｍ個の選好するサブバンドの位置に関する情報、選択されたＭ個のサブバンドに対する１つのＣＱＩ値、Ｍ個の選好するサブバンドに対する単一ＰＭＩ、広帯域ＰＭＩ、広帯域ＣＱＩ値をＢＳに送信することができる。このとき、サブバンドのサイズ及びＭ値は、システム帯域のサイズに応じて異なってもよい。
【００９３】
モード３−０(Ｍｏｄｅ ３−０)のＵＥは、広帯域ＣＱＩ値を生成する。ＵＥは、各サブバンドを通じてデータを送信すると仮定して、各サブバンドに対するＣＱＩ値を生成する。このとき、ＲＩ＞１であっても、ＣＱＩ値は、最初のコードワードに対するＣＱＩ値のみを示す。
【００９４】
モード３−１(Ｍｏｄｅ ３−１)のＵＥは、システム帯域又は指定帯域(ｓｅｔ Ｓ)に対して、単一プレコーディング行列(ｐｒｅｃｏｄｉｎｇ ｍａｔｒｉｘ)を生成する。ＵＥは、各サブバンドに対して、先に生成した単一プレコーディング行列を仮定して、コードワード毎にサブバンドＣＱＩを生成する。また、ＵＥは、単一プレコーディング行列を仮定して、広帯域ＣＱＩを生成することができる。各サブバンドのＣＱＩ値は、差分の形式で表されてもよい。サブバンドＣＱＩ値は、サブバンドＣＱＩインデックスと広帯域ＣＱＩインデックスとの差分値で計算される。このとき、サブバンドのサイズは、システム帯域のサイズに応じて異なってもよい。
【００９５】
モード３−２(Ｍｏｄｅ ３−２)のＵＥは、モード３−１と比較して、全帯域に対する単一プレコーディング行列の代わりに、各サブバンドに対するプレコーディング行列を生成する。
【００９６】
２）ＰＵＣＣＨを通じた周期的なＣＱＩ／ＰＭＩ／ＲＩ送信
【００９７】
ＵＥは、ＣＳＩ(ｅ.ｇ. ＣＱＩ/ＰＭＩ/ＰＴＩ(ｐｒｅｃｏｄｉｎｇ ｔｙｐｅ ｉｎｄｉｃａｔｏｒ)及び／又はＲＩ情報)をＰＵＣＣＨを通じてＢＳに周期的に送信することができる。仮に、ＵＥがユーザデータを送信するという制御信号を受信した場合は、ＵＥはＰＵＣＣＨを通じてＣＱＩを送信することができる。制御信号がＰＵＳＣＨを通じて送信されても、ＣＱＩ/ＰＭＩ/ＰＴＩ/ＲＩは、以下の表に定義されているモードのうち、いずれか一方の方式によって送信されることができる。
【００９８】
【表７】
2019528610.tif 000027
【００９９】
ＵＥは、表７のような送信モードを有してもよい。表７を参考すると、モード２−０(Ｍｏｄｅ ２−０)及びモード２−１(Ｍｏｄｅ ２−１)の場合、帯域幅パート(ＢＰ：Ｂａｎｄｗｉｄｔｈ Ｐａｒｔ)は、周波数領域で連続して位置するサブバンドの集合であり、システム帯域又は指定帯域(ｓｅｔ Ｓ)を両方カバーすることができる。表７において、各サブバンドのサイズ、ＢＰのサイズ及びＢＰの数は、システム帯域のサイズに応じて異なってもよい。また、ＵＥは、システム帯域又は指定帯域(ｓｅｔ Ｓ)がカバーできるように、ＢＰ毎にＣＱＩを周波数領域で昇順に送信する。
【０１００】
ＣＱＩ/ＰＭＩ/ＰＴＩ/ＲＩの送信組み合わせによって、ＵＥは、以下のようなＰＵＣＣＨ送信タイプを有してもよい。
【０１０１】
i) タイプ１(Ｔｙｐｅ １)：モード２−０(Ｍｏｄｅ ２−０)、モード２−１(Ｍｏｄｅ ２−１)のサブバンドＣＱＩ(ＳＢ−ＣＱＩ)を送信する。
【０１０２】
ii) タイプ１ａ：サブバンドＣＱＩ及び第２のＰＭＩを送信する。
【０１０３】
iii) タイプ２、タイプ２ｂ、タイプ２ｃ：広帯域ＣＱＩ及びＰＭＩ(ＷＢ−ＣＱＩ/ＰＭＩ)を送信する。
【０１０４】
iv) タイプ２ａ：広帯域ＰＭＩを送信する。
【０１０５】
v) タイプ３：ＲＩを送信する。
【０１０６】
vi) タイプ４：広帯域ＣＱＩを送信する。
【０１０７】
vii) タイプ５：ＲＩ及び広帯域ＰＭＩを送信する。
【０１０８】
viii) タイプ６：ＲＩ及びＰＴＩを送信する。
【０１０９】
ix) タイプ７：ＣＲＩ(ＣＳＩ−ＲＳ ｒｅｓｏｕｒｃｅ ｉｎｄｉｃａｔｏｒ)及びＲＩを送信する。
【０１１０】
x) タイプ８：ＣＲＩ、ＲＩ及び広帯域ＰＭＩを送信する。
【０１１１】
xi) タイプ９：ＣＲＩ、ＲＩ及びＰＴＩ(ｐｒｅｃｏｄｅ ｔｙｐｅ ｉｎｄｉｃａｔｉｏｎ)を送信する。
【０１１２】
xii) タイプ１０：ＣＲＩを送信する。
【０１１３】
ＵＥがＲＩと広帯域ＣＱＩ／ＰＭＩを送信する場合、ＣＱＩ／ＰＭＩは、互いに異なる周期とオフセットを有するサブフレームに送信される。また、ＲＩと広帯域ＣＱＩ／ＰＭＩが同じサブフレームに送信されなければならない場合には、ＣＱＩ／ＰＭＩは送信されない。
【０１１４】
非周期的ＣＳＩ要請
【０１１５】
現在、ＬＴＥ標準では、ＣＡ(ｃａｒｒｉｅｒ ａｇｇｒｅｇａｔｉｏｎ)環境を考慮して、非周期的ＣＳＩフィードバックを動作させるためには、ＤＣＩフォーマット０又は４で２−ビットＣＳＩ要請フィールドを用いている。端末は、ＣＡ環境において複数のサービングセルが設定された場合、ＣＳＩ要請フィールドを２−ビットと解釈する。仮に全てのＣＣ(Ｃｏｍｐｏｎｅｎｔ Ｃａｒｒｉｅｒ)に対して、ＴＭ １から９の間のＴＭのうち１つが設定された場合、以下の表８の値によって非周期的ＣＳＩフィードバックがトリガリングされ、全てのＣＣのうち、少なくとも１つのＣＣに対してＴＭ １０が設定された場合は、以下の表９の値によって非周期的ＣＳＩフィードバックがトリガリングされる。
【０１１６】
【表８】
2019528610.tif 000028
【０１１７】
【表９】
2019528610.tif 000029
【０１１８】
ｎｅｗ ＲＡＴフレーム構造において、セルフ−コンテインド(Ｓｅｌｆ-ｃｏｎｔａｉｎｅｄ)構造が考慮されている。これはＤＬ−ＵＬ構造を合わせて定義したものであり、図５のような構造を有する。
【０１１９】
この時、図６のようにチャネル測定のためにＣＳＩ−ＲＳを伝送するが、ＣＳＩ−ＲＳリソース候補を１つ又は複数のシンボルで定義し、該当端末が測定するＣＳＩ−ＲＳをビットマップなどの方法でＤＣＩなどのシグナリングにより知らせる方式が考えられる。
【０１２０】
より具体的には、これは、非周期的ＣＳＩ−ＲＳ(ａｐｅｒｉｏｄｉｃ ＣＳＩ−ＲＳ; Ａ−ＣＳＩ−ＲＳ)のような形式であり、基地局は端末が測定するＣＳＩ−ＲＳを非定期的に伝送し、該当ＲＳの伝送リソース(時間及び／又は周波数)をＤＣＩのＡ−ＣＳＩ−ＲＳ指示のようなＬ１シグナリングにより指定する動作を意味する。端末は該当ＣＳＩ−ＲＳを測定して基地局に報告するが、これはＤＣＩに含まれた非周期的ＣＳＩ要請により端末に該当動作が要請される。
【０１２１】
この方式は、端末が使用するＣＳＩ−ＲＳリソースを最も柔軟に(ｆｌｅｘｉｂｌｙ)知らせることができるが、この場合、該当ＣＳＩ−ＲＳリソースを指示するＤＣＩオーバーヘッドが非常に大きい(例えば、図６の場合、２４ビットのビットマップが必要)。このオーバーヘッドはＣＳＩ−ＲＳリソース候補の数が増加することによって線形的に増加し、このＣＳＩ−ＲＳリソース候補は、基地局のアンテナポート数に従って一緒に増加する。特に、上記の６ＧＨｚのような環境において、非常に多数(例えば、１０２４個のポート)のアンテナポートが考慮されるｎｅｗ ＲＡＴ環境では、上記方式を使用する場合、過渡に多いＤＣＩオーバーヘッドが発生する。従って、この場合には、ＤＣＩのオーバーヘッドを減らすために、ＣＳＩ−ＲＳリソース候補内で複数のＣＳＩ−ＲＳリソース集合(Ｓｅｔ)を予め定義し、ＣＳＩ−ＲＳリソース集合のインデックスをＤＣＩにより指示する方式が考えられる。以下、ＣＳＩ−ＲＳリソース集合はＣＳＩ−ＲＳが伝送されるＲＥ位置の集合を意味する。図７は４ポートＣＳＩ−ＲＳリソース集合構成を示す図である。
【０１２２】
例えば、ＣＳＩ−ＲＳ指示によりＣＳＩ−ＲＳリソース集合１を設定した場合、基地局はＣＳＩ−ＲＳのために割り当てられた最下４つのＲＥを使用してＣＳＩ−ＲＳを伝送し、端末は該当位置のＲＥを測定してＣＳＩを計算／報告する。以下の例示では、便宜上、４ポートのＣＳＩ−ＲＳを主として説明するが、他のポート数、特により大きいアンテナポート数を有する基地局のためのＣＳＩ−ＲＳリソース集合の設定にも同じ原理を適用できる。
【０１２３】
以下、アンテナポートは、(少なくとも同一のリソースブロック内で)同一のチャネル特性(例えば、遅延プロファイル、ドップラーの拡散など)を仮定できる仮想のアンテナ要素を意味する。以下、サブフレーム(ＳＦ)は一定時間長さを有して繰り返される伝送単位を意味し、ニューマロロジー(ｎｕｍｅｒｏｌｏｇｙ)ごとにＳＦの定義が異なることができる。
【０１２４】
上記ＣＳＩ−ＲＳリソース集合は、以下のような要素を考慮して、互いに重畳しない(ｎｏｎ−ｏｖｅｒｌａｐｐｉｎｇ)ように定義される。
【０１２５】
Ｏｐｔｉｏｎ １．時間リソース指示
【０１２６】
Ａ．最大のＣＳＩ−ＲＳシンボル数
【０１２７】
時間軸にいくつのシンボルがＣＳＩ−ＲＳリソース候補として指定されたかによって、ＣＳＩ−ＲＳリソース集合が異なるように定義される。図８の場合、１シンボルがＣＳＩ−ＲＳリソース候補として定義されると、図８の(ａ)のような設定が与えられ、２シンボルがＣＳＩ−ＲＳリソース候補として定義されると、図８の(ｂ)、(ｃ)のうちの一方又は両方ともに対応する設定が与えられる。
【０１２８】
Ｂ．使用されるＣＳＩ−ＲＳシンボル
【０１２９】
また、ＣＳＩ−ＲＳリソース集合が定義されるシンボルの位置が端末に定義／シグナリングされることができる。例えば、図８の(ｄ)のように、ＣＳＩ−ＲＳリソース集合が２番目のシンボルのみに定義されるように設定できる。これは互いに異なる端末間に互いに異なる時間ＣＳＩ−ＲＳリソースを割り当てて直交性(ｏｒｔｈｏｇｏｎａｌｉｔｙ)を確保するためのものである。このシグナリングはＣＳＩ−ＲＳリソース候補の最初シンボルからのオフセット形態で指定されて、シグナリングのオーバーヘッドを最小化することができる。
【０１３０】
Ｃ．もしＣＳＩ−ＲＳリソース候補の時間軸位置及び範囲が予め定義されるか、又は別のシグナリングにより設定される場合、「最大のＣＳＩ−ＲＳシンボル数」及び／又は「使用されるＣＳＩ−ＲＳシンボル」は、ＣＳＩ−ＲＳリソース集合が定義されるＣＳＩ−ＲＳリソース候補内の時間軸の位置及び／又は範囲を指定することができる。
【０１３１】
Ｏｐｔｉｏｎ ２．周波数リソース指示
【０１３２】
Ａ．ＲＢ当たり最大のＲＥ数
【０１３３】
周波数軸にいくつのＲＥがＣＳＩ−ＲＳリソース候補として指定されたかによって、ＣＳＩ−ＲＳリソース集合が異なるように定義される。図９の場合、ＲＢ当たり、シンボル当たり最大１２つのＲＥがＣＳＩ−ＲＳリソース候補として定義されると、図９の(ａ)のように定義されるが、ＲＢ当たり、シンボル当たり最大８つのＲＥがＣＳＩ−ＲＳリソース候補として定義されると、図９の(ｂ)のように定義される。
【０１３４】
Ｂ．使用されるＣＳＩ−ＲＳ ＲＥ
【０１３５】
また、ＣＳＩ−ＲＳリソース候補がＲＢ当たり、シンボル当たり最大のＲＥ数より小さい場合、ＣＳＩ−ＲＳリソース候補のうち、どの位置のＲＥ(例えば、周波数軸で下位８つのＲＥ)をＣＳＩ−ＲＳリソース集合の設定に使用するかを端末に知らせる必要がある。これは互いに異なる端末間に互いに異なる周波数ＣＳＩ−ＲＳリソースを割り当てて直交性を確保するためのものである。このシグナリングはＣＳＩ−ＲＳリソース候補の最初ＲＥからのオフセット形態で指定されて、シグナリングのオーバーヘッドを最小化することができる。
【０１３６】
Ｃ．もしＣＳＩ−ＲＳリソース候補の周波数軸位置及び範囲が、予め定義されるか、又は別のシグナリングにより設定される場合、「最大のＣＳＩ−ＲＳシンボル数」及び／又は「使用されるＣＳＩ−ＲＳ ＲＥ」は、ＣＳＩ−ＲＳリソース集合が定義されるＣＳＩ−ＲＳリソース候補内の周波数軸位置及び／又は範囲を指定することができる。
【０１３７】
Ｄ．もしＣＳＩ−ＲＳが１ＲＢ単位内で定義される代わりに、複数のＲＢ単位(例えば、２ＲＢにわたってＣＳＩ−ＲＳ集合が定義)で定義される場合は、基地局はＣＳＩ−ＲＳが定義されるＣＳＩ−ＲＳ ＲＢ数を端末に知らせることができる。この時、上記項目Ｂ．の「使用されるＣＳＩ−ＲＳ ＲＥ」及び「ＲＢ当たり、シンボル当たり最大のＲＥ数」の基準も該当ＲＢ数の単位(例えば、２ＲＢ当たり最大のＲＥ数、２ＲＢ内で使用されるＣＳＩ−ＲＳ ＲＥ)で定義されなければならない。以下では便宜上、上記項目の名前をそのまま使用するが、項目Ｄ．が適用される場合には、該当項目Ｄ．に合わせて定義が変更される。
【０１３８】
上述したＣＳＩのためのＲＳと類似する構造として、干渉測定のためのＲＳ(即ち、ＣＳＩ−ＩＭ(ｉｎｔｅｒｆｅｒｅｎｃｅ ｍｅａｓｕｒｅｍｅｎｔ))を定義できる。即ち、ＣＳＩ−ＩＭに対する粒度として広帯域ＣＳＩ−ＩＭ／部分帯域ＣＳＩ−ＩＭ／副帯域ＣＳＩ−ＩＭが定義されて、以下のステージに含まれることができる。特に、各ステージに１つのＲＳと共に複数個のＣＳＩ−ＩＭが含まれて、多重干渉仮定に対するＣＳＩを報告することができる。このようなＣＳＩに対する干渉測定のターゲット帯域は、ＣＳＩのためのＲＳの場合と同様に、基地局が端末に部分帯域ＣＳＩ−ＩＭの場合はＲＲＣシグナリングのような上位階層シグナリングにより半静的に知らせ、副帯域ＣＳＩ−ＩＭの場合にはＤＣＩのようなＬ１シグナリングにより動的に知らせることができる。
【０１３９】
この場合、ＣＳＩ−ＩＭはＣＳＩのためのＲＳと異なる周波数粒度を有することができる。即ち、ＩＭのための広帯域／部分帯域／副帯域構成とＣＳＩ−ＲＳリソースのための広帯域／部分帯域／副帯域構成は、互いに異なるように設定される。この時、端末にＣＳＩ測定に対する設定時に互いに異なる周波数粒度を有するＣＳＩ−ＲＳとＣＳＩ−ＩＭの組み合わせも可能である。例えば、ＣＳＩのための副帯域ＲＳと部分帯域ＣＳＩ−ＩＭが同伴するか、又は互いに異なる副帯域サイズに対するＣＳＩのためのＲＳとＣＳＩ−ＩＭが定義されて同伴することができる。
【０１４０】
さらに、定義された広帯域／部分帯域／副帯域単位のＣＳＩ報告を考慮した時、ＣＳＩ報告に対する周波数粒度もＣＳＩ−ＲＳ、ＣＳＩ−ＩＭと独立的に設定されることができる。また、互いに異なる粒度の組み合わせも可能である。例えば、広帯域ＣＳＩ−ＲＳと部分帯域ＣＳＩ−ＩＭを使用して副帯域ＣＳＩ報告を指示することが可能である。図１０は互いに異なるタイプの周波数粒度を有するＣＳＩ−ＲＳを示す図である。
【０１４１】
Ｅ．Ｄのような方式で、ＣＳＩ−ＲＳリソース集合設定は２サブフレームにわたって定義されることができる。
【０１４２】
Ｆ．もしＣＳＩ−ＲＳが、端末がスケジューリングされたＲＢ以外の他のＲＢで定義される場合は、基地局はＣＳＩ−ＲＳが定義されるＲＢ位置を端末に知らせることができる。図１１は２ＲＢにわたって設定されたＣＳＩ−ＲＳリソース集合を示す図である。
【０１４３】
より詳しくは、ＣＳＩ−ＲＳリソースは以下のような方式で定義される。
【０１４４】
Ａｌｔ １．リソース単位(例えば、ＲＢ)で定義されたＬＴＥ−のようなＣＳＩ−ＲＳパターン
【０１４５】
ＬＴＥのように、一定のリソース単位内でＣＳＩ−ＲＳ ＲＥの位置が定義される。この場合、複数の端末又はセルでＣＳＩ−ＲＳを伝送する時、これを考慮したパターンを予め設計することができ、複数の端末／基地局のためのＣＳＩ−ＲＳの間の直交性を確保することが相対的に容易になる。また、予め決められたＣＳＩ−ＲＳ設定のうちの１つを選択するので、設定のオーバーヘッドが少ない。
【０１４６】
図１２は２−ポートＣＳＩ−ＲＳパターンと４ポートＣＳＩ−ＲＳパターンを示す図である。
【０１４７】
Ａ．必要な設定パラメータ：ＣＳＩ−ＲＳパターンインデックス、ＣＳＩ−ＲＳ密度、リソース単位サイズ
【０１４８】
ｉ．リソース単位サイズの場合、ＣＳＩ−ＲＳの柔軟性のために該当ＣＳＩ−ＲＳ設定に含まれて端末に伝送される。この時、ＣＳＩ−ＲＳパターンは、各リソース単位のサイズによって互いに異なるように定義される。
【０１４９】
ｉｉ．Ａｌｔ １におけるＣＳＩ−ＲＳ密度は、各ＣＳＩ−ＲＳリソース単位の間の間隔が該当リソース単位でどのくらい離れているかを示す。即ち、もし１６ポートのＣＳＩ−ＲＳが２ＲＢ単位で設定されており、ＣＳＩ−ＲＳ密度が１／２に設定されると、該当ＣＳＩ−ＲＳが伝送される２ＲＢ／ＣＳＩ−ＲＳが伝送されない２ＲＢ／ＣＳＩ−Ｒが伝送される２ＲＢのように定義される。
【０１５０】
Ａｌｔ ２．「密度」パラメータで定義されたＣＳＩ−ＲＳパターン
【０１５１】
各ポートに対するＲＥは、後述する「基底(ｂａｓｅ)密度」による基本最小空間を有して割り当てられる。図１３において基底密度＝４であり、さらなる密度減少が設定されないと、各ＣＳＩ−ＲＳポートＲＥは、４ＲＥの間隔を有して割り当てられる。
【０１５２】
Ａｌｔ ２はＲＢ内で定義されるＣＳＩ−ＲＳパターンに含まれず、より自由にＣＳＩ−ＲＳリソース設定を行うことができる。特に、密度パラメータとオフセットパラメータを用いて複数の端末／基地局のためのＣＳＩ−ＲＳパターンを形成することができる。
【０１５３】
Ａ．必要な設定パラメータ：ＣＳＩ−ＲＳ密度、ＣＳＩ−ＲＳオフセット
【０１５４】
ｉ．ＣＳＩ−ＲＳ密度はＣＳＩ−ＲＳポートＲＥ間の間隔を示す。ＣＳＩ−ＲＳ密度が設定される場合、これは(基底密度＊設定された密度)のような形態で定義される。即ち、設定された密度は、「基底密度」で定義される基本密度値と共に、実際のＣＳＩ−ＲＳ ＲＥの密度を含んで定義できる。
【０１５５】
ii．基底 密度の定義
【０１５６】
１．ＣＳＩ−ＲＳ ＲＥの間の基本間隔を示す数であって、予め定義されることができる。これは基地局の最大ＣＳＩ−ＲＳポート数によって決定されることができ、さらに周波数直交ＣＳＩ−ＲＳリソース数(セル−間のＣＳＩ−ＲＳ割り当てのための)によって決定されることもできる。例えば、１６ポートＣＳＩ−ＲＳ伝送を試みて、別の周波数直交のＣＳＩ−ＲＳリソースを定義しない時、「基底密度」は１６ＲＥになり、よって同じＣＳＩ−ＲＳポートＲＥの間の間隔が１６ＲＥになる。
【０１５７】
Ａ．基底 密度の最大数は端末に設定されたＣＳＩ−ＲＳポート数になる。
【０１５８】
Ｂ．後述する互いに異なるＣＳＩ−ＲＳのための領域(例えば、ＢＭ(ｂｅａｍ ｍａｎａｇｅｍｅｎｔ)のためのＣＳＩ−ＲＳ)が周波数帯域の一部に定義される場合、基底密度は該当帯域を考慮して決定しなければならない。
【０１５９】
iii．この時、ＯＣＣ(ｏｒｔｈｏｇｏｎａｌ ｃｏｖｅｒ ｃｏｄｅ)が共に適用されるＣＳＩ−ＲＳ ＲＥ(例えば、隣する２ＲＥ)は、ＣＳＩ−ＲＳ測定の側面で互いに隣接することが好ましい。従って、もしＯＣＣ長さが２である場合、図１４の(ａ)のように該当ＣＳＩ−ＲＳが時間軸方向に隣接するか、又は図１４の(ｂ)のように周波数軸方向に隣接するように設定されることができる。
【０１６０】
iv．ＣＳＩ−ＲＳ周波数オフセット
【０１６１】
設定されたＣＳＩ−ＲＳ密度によってＣＳＩ−ＲＳポートＲＥの間の間隔が存在する場合、ＣＳＩ−ＲＳ伝送が始まるＲＥの位置が定義されることができる。この時、オフセット単位はＯＣＣ長さの自然数倍になる。
【０１６２】
Ａｌｔ ３．端末に設定された最大のＣＳＩ−ＲＳポート数によって変化するＣＳＩ−ＲＳ密度
【０１６３】
図１５は４ポートＣＳＩ−ＲＳ、２ポートＣＳＩ−ＲＳのために定義されたＣＳＩ−ＲＳパターンを示す図である。
【０１６４】
Ａ．Ａｌｔ ２において基底密度が該当端末に設定されたＣＳＩ−ＲＳポート数と同一に定義される設定と類似する。
【０１６５】
Ｂ．この場合、ＣＳＩ−ＲＳポート数が少ないと、より高いポート当たりの密度を有することになり、より高い測定性能を期待できる。しかし、密度増加によるＣＳＩ−ＲＳの測定性能が増加しないか(例えば、飽和される)、又は必要以上に増加すると、ＣＳＩ−ＲＳ ＲＥオーバーヘッドが増加する。
【０１６６】
Ｃ．必要なパラメータ：ＣＳＩ−ＲＳ密度、ＣＳＩ−ＲＳオフセット
【０１６７】
i．ＣＳＩ−ＲＳポート数のみでＣＳＩ−ＲＳのパターンが定義される。
【０１６８】
上記ＣＳＩ−ＲＳ密度が、隣接セル間にＣＳＩ−ＲＳを直交して伝送するためのリソース割り当て方法として使用される場合、ＣＳＩ−ＲＳパターンオフセットは、ＰＣＩＤ(ｐｈｙｓｉｃａｌ ｌａｙｅｒ ｃｅｌｌ ｉｄｅｎｔｉｆｉｅｒ)で決定して、別の調律(ｃｏｏｒｄｉｎａｔｉｏｎ)無しにセル間のオフセットを設定することができる。
【０１６９】
また、ＣＳＩ−ＲＳを設計する時、「入れ子(ｎｅｓｔｅｄ)属性」が維持されるように考慮する。これは、より大きいポート数に対するＣＳＩ−ＲＳパターンが、より小さいポート数に対するＣＳＩ−ＲＳパターンを含むという意味であり、ポート数によるＣＳＩ−ＲＳリソース拡張性(ｓｃａｌａｂｉｌｉｔｙ)が保障され、よって互いに異なるＣＳＩ−ＲＳ間、特に互いに異なる基地局間のＣＳＩ−ＲＳリソース整列(ａｌｉｇｎｍｅｎｔ)が容易である。これはＺＰ(ｚｅｒｏ ｐｏｗｅｒ)−ＣＳＩ−ＲＳの設計に特に好ましい。但し、全てのポート数、例えば１６ポート以上でも該当属性を続けて維持することは、設計において柔軟性を阻害するので、入れ子属性が維持されるＣＳＩ−ＲＳリソースユニットを定義することが好ましい。例えば、より多いポート数(例えば、１６、２０、２４、３２)のためのＣＳＩ−ＲＳパターンを集成により形成できることを考慮して、ｎ−ポートＣＳＩ−ＲＳリソース(例えば、ｎ＝４)をＣＳＩ−ＲＳの基底リソースユニットとして定義することができる。
【０１７０】
他の例として、ｎｅｗ ＲＡＴにおいてＲＢ当たり１２サブキャリアを仮定した時、周波数軸方向に４ＲＥをＣＳＩ−ＲＳの基底リソースユニットのサイズとして使用できる。この場合、４ＲＥ単位の干渉測定を含む３−セル行力に有用である。この場合、もしＣＳＩ−ＲＳで１シンボルを使用する場合、４ポートＣＳＩ−ＲＳパターン(即ち、１、２、４ポート)までは入れ子属性が維持され、それ以上のＣＳＩ−ＲＳパターンでは入れ子属性が維持されないことができる。
【０１７１】
また、ＣＳＩ−ＲＳが定義されるシンボル数によって互いに異なる形態の入れ子属性のためのＣＳＩ−ＲＳ基底リソースが定義されることができる。例えば、ＣＳＩ−ＲＳが２シンボルを使用する時、周波数×時間リソースが４×２の８ポートＣＳＩ−ＲＳが入れ子属性のためのＣＳＩ−ＲＳ基底リソースとして使用されることができるが、ＣＳＩ−ＲＳが１シンボルで定義されるか又は複数の１シンボルＣＳＩ−ＲＳがＢＭ用に使用される時、４×１リソースの４ポートＣＳＩ−ＲＳが入れ子属性のためのＣＳＩ−ＲＳ基底リソースとして使用されるＣＳＩ−ＲＳパターンが設計されることができる。
【０１７２】
この場合、ポートによって互いに異なる密度を設定することができる。これは全ての端末が多いポート数を支援しないので、実際に有用に使用されるＣＳＩ−ＲＳの設定は少ないポート数、例えば、８ポートに対する設定であり、多数のポートに対するＣＳＩ−ＲＳの設定は、相対的に少ない端末が使用するので、オーバーヘッド減少の側面で一定のポート、例えば、１５ポートを超えるＣＳＩ−ＲＳポートに対しては、それより少ないポート数に該当するポート密度よりさらに低い密度を設定することができる。このために、基地局は相対的に多数のポートに対する別途の密度現象設定をＣＳＩ−ＲＳ設定に含めて端末に伝送することができる。
【０１７３】
Ｏｐｔｉｏｎ ３．基地局のＴＸＵ(ｔｒａｎｓｍｉｔｔｅｒ ｕｎｉｔ)の数
【０１７４】
Ａ．基地局は、基地局のＴＸＵの数を超える数のＣＳＩ−ＲＳポートを１シンボルに送ることができない。即ち、最大ＴＸＵの数ほどのＣＳＩ−ＲＳポートが１つのＯＦＤＭシンボルに多重化されることができない。例えば、ＣＳＩ−ＲＳポート１つ当たり１つのＲＥを使用すると、基地局のＴＸＵの数は１つのＣＳＩ−ＲＳリソース集合の最大高さ、即ち、ＣＳＩ−ＲＳリソース集合内の１つのシンボル当たりの最大ＣＳＩ−ＲＳ ＲＥの数になる。
【０１７５】
図１６は４ＴＸＵ及び２ＴＸＵを有する場合のＣＳＩ−ＲＳパターンを示す図である。
【０１７６】
Ｂ．上記ＴＸＵは、もし基地局がＴＸＵとＲＸＵが同一である場合、ＴＸＲＵに置き換えられることができる。
【０１７７】
Ｃ．より精密には、１つのシンボル当たり伝送されるアナログビームの数が基地局のＴＸＵの数により制限され、それにより１つのシンボルに最大にＦＤＭされるＣＳＩ−ＲＳリソース又はＣＳＩ−ＲＳポート集合の数が基地局のＴＸＵの数により決定されることができる。この場合、端末は該当ＣＳＩ−ＲＳリソース(又はポート集合)のインデックスを(アナログ)ビームインデックスで明示的に又は暗黙的にマッピング可能であり、これにより選好するＣＳＩ−ＲＳリソース(又はポート集合)のインデックス及び関連ＣＳＩ測定情報を共にフィードバックすることができる。
【０１７８】
Ｄ．上記概念はＣＳＩ−ＲＳポートと記述したが、アナログビームスキャン／トラッキング(ｔｒａｃｋｉｎｇ)のために基地局が端末にアンテナポートごとに互いに異なるアナログビームを適用して伝送する場合についても適用可能である(例えば、ビームスキャンＲＳ、ビーム精製(ｒｅｆｉｎｅｍｅｎｔ)ＲＳなど)。この場合、基地局のＴＸＵの数によって１つのシンボル当たりに伝送される最大のビームスキャンＲＳポート又はビーム精製ＲＳポート数が制限されることができる。
【０１７９】
Ｏｐｔｉｏｎ ４．ＤＣＩ内のＣＳＩ−ＲＳ指示フィールドのサイズ
【０１８０】
Ａ．ＣＳＩ−ＲＳ指示フィールドのサイズにより設定可能な最大ＣＳＩ−ＲＳリソース集合の数が決定される。従って、これは上記Ｏｐｔｉｏｎ １〜３の方法により設定されたＣＳＩ−ＲＳリソース集合のうち、実際にＤＣＩのＣＳＩ−ＲＳ指示により指定するＣＳＩ−ＲＳリソース集合を選び出す時に使用できる。
【０１８１】
図１７はＣＳＩ−ＲＳ指示フィールドのサイズ(ビット数)によるＣＳＩ−ＲＳリソース集合を示す図である。
【０１８２】
Ｏｐｔｉｏｎ ５．ＣＳＩ−ＲＳに適用されるＯＣＣの長さ／方向
【０１８３】
例えば、周波数軸方向に長さ２のＯＣＣを使用するＣＳＩ−ＲＳの場合、ＣＳＩ−ＲＳリソース集合は周波数方向に２ＲＥ(或いはこの整数倍)ほどが定義されなければならない。また同じ方式が時間軸にも適用されることができる。
【０１８４】
Ａ．ＯＣＣ長さ４のように、整数ａ×ｂのような形態で表されるＯＣＣ長さを有する場合、周波数軸と時間軸の方向に各々長さａ、ｂを有するＯＣＣを使用することができる。例えば、ＯＣＣ長さ４＝２×２を使用する場合、周波数軸方向に長さ２、時間方向に長さ２を使用することができる。従って、図８の(ｃ)のような形態を有することができる。この場合、各方向に対するＯＣＣ長さはシグナリングされる必要がある。
【０１８５】
Ｏｐｔｉｏｎ ６．ＣＳＩ−ＲＳ密度
【０１８６】
ＣＳＩ−ＲＳの周波数軸の密度を基地局が端末に指定することができる。例えば、ＣＳＩ−ＲＳが複数のＲＢに対して伝送される時、図７のＣＳＩ−ＲＳが毎ＲＢごとに存在するか、偶数番目のＲＢのみに存在するか、或いはより低い周波数密度を有して存在するかを指定する。
【０１８７】
このために基地局は端末に複数のＣＳＩ−ＲＳ設定を各々偶数番目ＲＢ／奇数番目ＲＢのためのＣＳＩ−ＲＳ設定により設定することができる。
【０１８８】
もしＣＳＩ−ＲＳパターンがｍ個のＲＢにわたって定義されると、該当ＣＳＩ−ＲＳパターンは連続するＲＢに適用される代わりに、上述したように減少した密度としてＣＳＩ−ＲＳの伝送が定義されるＲＢ、例えば、１／ｎ密度が設定された場合は、毎ｎ個のＲＢごとに連続しないＣＳＩ−ＲＳパターンが適用されることができる。即ち、ＣＳＩ−ＲＳパターンはｎ個のＲＢほど離れているｍ個の連続しないＲＢに対して適用できる。例えば、もしｍ＝２、ｎ＝２である場合、ＣＳＩ−ＲＳはＲＢインデックス０、３、６、９、..で伝送され、ＣＳＩ−ＲＳはＲＢインデックス{０、３}、{６、９}にわたってＣＳＩ−ＲＳが与えられたパターンによって伝送されることができる。
【０１８９】
密度の設定として、１／ｎのように、一種の密度パターンが定義される代わりに、ビットマップのような方式でＣＳＩ−ＲＳが伝送される周波数リソース(例えば、ＲＢ又はＲＢグループ)が定義されることができる。このビットマップのサイズは、ＣＳＩ−ＲＳが伝送可能な最大の周波数帯域、例えば、広帯域又は部分帯域に該当するＣＳＩ−ＲＳが伝送される周波数リソース数と同一であり、各周波数リソースの単位でＣＳＩ−ＲＳのオン／オフを該当する位置のビットで伝送することができる。
【０１９０】
ビットマップのサイズがＣＳＩ−ＲＳが伝送可能な最大の周波数帯域より小さい場合、ＣＳＩ−ＲＳパターンは循環的に適用できる。
【０１９１】
上記密度の設定は、広帯域或いは部分帯域に対して設定されることができる。より特徴的には、この密度の設定は、部分帯域ごとに互いに異なるように設定されることができる。
【０１９２】
Ｏｐｔｉｏｎ ７．ＣＳＩ−ＲＳポート数
【０１９３】
各ＣＳＩ−ＲＳ集合のＣＳＩ−ＲＳポート数を互いに異なるように設定することができる。この場合、各ＣＳＩ−ＲＳ集合ごとにポート数の指示が各々シグナリングされることができる。
【０１９４】
特に、ポート部分集合(Ｓｕｂｓｅｔ)の指示が各ＣＳＩ−ＲＳ集合ごとにシグナリングされることができる。
【０１９５】
Ｏｐｔｉｏｎ ８．複数のサブフレームの数
【０１９６】
ＣＳＩ−ＲＳは複数のサブフレームにわたって定義されることができる。特に、(ｅ)ＦＤ−ＭＩＭＯのクラスＢのように、ＣＳＩプロセス内に複数のＣＳＩ−ＲＳリソースが定義され、各リソース設定に互いに異なるプリコーディングが適用されたＣＳＩ−ＲＳが設定されて、各々互いに異なるサブフレームで伝送されることができる。これはＣＳＩプロセス及びＣＳＩリソース設定の代わりに、同じ情報を含むＣＳＩ−ＲＳの設定に取り替えられることができる。
【０１９７】
この時の複数のＣＳＩ−ＲＳに対するＡ−ＣＳＩ−ＲＳ指示において、ＣＳＩ−ＲＳの伝送タイミングｍは以下のように知らせることができる。
【０１９８】
−固定されたタイミングｍが予め定義されることができる。
【０１９９】
−固定されたタイミングｍがＣＳＩプロセス又はリソース設定に含まれることができる。
【０２００】
−ｍの範囲が予め定義されることができる。Ａ−ＣＳＩ−ＲＳ指示により該当範囲内のｍ値を端末に指定することができる。
【０２０１】
−ｍの範囲がＣＳＩプロセス又はリソース設定に含まれることができる。Ａ−ＣＳＩ−ＲＳ指示により該当範囲内のｍ値を端末に指定することができる。
【０２０２】
ｍ値の意味は以下の通りである。
【０２０３】
−ｍはＡ−ＣＳＩ−ＲＳ指示から１番目のＣＳＩ−ＲＳまでの間隔(又は距離)
【０２０４】
図１８はＡ−ＣＳＩ−ＲＳの伝送タイミングｍを示す図である。
【０２０５】
特に、１番目のＡ−ＣＳＩ−ＲＳが該当指示を含むＤＣＩと同じサブフレームで伝送されることができるが、この場合、上記固定された値ｍ＝０に予め定義される場合と同一である。図１９はｍ＝０である場合を示している。
【０２０６】
−ｍはＡ−ＣＳＩ−ＲＳ指示から最後のＣＳＩ−ＲＳまでの間隔(又は距離)
【０２０７】
このように、Ａ−ＣＳＩ−ＲＳがＡ−ＣＳＩ−ＲＳ指示と同じサブフレームで伝送されないと、総Ｍ個のＡ−ＣＳＩ−ＲＳタイミングのうち、ｉ番目はｍ／Ｍ＊ｉサブフレーム、ｉ＝１、２、３、...になる。図２１はこれを示している。
【０２０８】
或いはＡ−ＣＳＩ−ＲＳがＡ−ＣＳＩ−ＲＳ指示と同じサブフレームで伝送されると、総Ｍ個のＡ−ＣＳＩ−ＲＳタイミングのうち、ｉ番目はｍ／(Ｍ−１)＊ｉサブフレーム、ｉ＝０、１、２、３、...が使用されることができる。
【０２０９】
又は、ｍ＜０に定義できるが、この場合、予め伝送されたＡ−ＣＳＩ−ＲＳをＡ−ＣＳＩ−ＲＳの伝送以後に該当Ａ−ＣＳＩ−ＲＳの伝送を端末に知らせることができる。
【０２１０】
この時の複数のＡ−ＣＳＩ−ＲＳに対するＡ−ＣＳＩ−ＲＳ指示において、ＣＳＩ−ＲＳの伝送タイミング区間ｐは以下のように知らせることができる。
【０２１１】
−ｍはＡ−ＣＳＩ−ＲＳ指示から１番目のＣＳＩ−ＲＳまでを意味する場合、別に設定することなくｐ＝ｍになる。
【０２１２】
−固定されたタイミングｐが予め定義されることができる。
【０２１３】
−固定されたタイミングｐがＣＳＩプロセス又はリソース設定に含まれることができる。
【０２１４】
−ｐの範囲が予め決定されることができる。Ａ−ＣＳＩ−ＲＳ指示により該当範囲内のｐ値を端末に指定することができる。
【０２１５】
−ｐの範囲がＣＳＩプロセス又はリソース設定に含まれることができる。Ａ−ＣＳＩ−ＲＳ指示により該当範囲内のｐ値を端末に指定することができる。
【０２１６】
特に、ＣＳＩ−ＲＳが連続して伝送される場合、上記固定された値ｐ＝１に予め定義される場合と同一である。
【０２１７】
ｐ値の意味は以下の通りである。
【０２１８】
−各Ａ−ＣＳＩ−ＲＳの間の間隔サブフレームの数
【０２１９】
図２２は各Ａ−ＣＳＩ−ＲＳの間の間隔を指示するｐを示す図である。
【０２２０】
−最初のＡ−ＣＳＩ−ＲＳと最後のＡ−ＣＳＩ−ＲＳの間の間隔サブフレーム
【０２２１】
図２３は最初のＡ−ＣＳＩ−ＲＳと最後のＡ−ＣＳＩ−ＲＳの間の間隔を指示するｐを示す図である。
【０２２２】
この場合、総Ｍ個のＡ−ＣＳＩ−ＲＳタイミングのうち、ｉ番目は(１番目のＡ−ＣＳＩ−ＲＳ伝送タイミング)＋ｐ／(Ｍ−１)＊(i−１)(ｉ＝１、２、...)サブフレームで伝送されることができる。
【０２２３】
−Ａ−ＣＳＩ−ＲＳ指示と最後のＣＳＩ−ＲＳの間の間隔サブフレーム
【０２２４】
図２４はＡ−ＣＳＩ−ＲＳ指示と最後のＣＳＩ−ＲＳの間の間隔を指示するｐを示す図である。
【０２２５】
この場合、該当ＣＳＩ−ＲＳの測定結果に対するＣＳＩ報告は、該当ＣＳＩ−ＲＳを全部測定した後、計算及び報告する。例えば、(ｅ)ＦＤ−ＭＩＭＯのクラスＢのような場合、最後のＣＳＩ−ＲＳを測定した後、ＣＲＩ(ＣＳＩ−ＲＳ ｒｅｓｏｕｒｃｅ ｉｎｄｉｃａｔｏｒ)を計算及び導出して報告することができる。従って、該当ＣＳＩ−ＲＳに対するＣＳＩの報告時点は最後のＣＳＩ−ＲＳシンボルが伝送されたサブフレーム以後の時点になる。
【０２２６】
このように、複数個のＣＳＩ−ＲＳに対するＡ−ＣＳＩ−ＲＳが伝送されて該当ＲＳに対する指示が基地局から端末に伝送及び受信された場合、基地局は該当Ａ−ＣＳＩ−ＲＳに対する非周期的ＣＳＩ要請をＤＣＩにより指定することができ、この時、該当非周期的ＣＳＩを端末が報告するＣＳＩフィードバックタイミングｋは以下の方法で指定される。
【０２２７】
−固定されたタイミングｋが予め定義されることができる。
【０２２８】
−固定されたタイミングｋがＣＳＩプロセス又はリソース設定に含まれることができる。
【０２２９】
−ｋの範囲が予め決定されることができる。非周期的ＣＳＩ要請により該当範囲内のｋ値を端末に指定することができる。
【０２３０】
−ｋの範囲がＣＳＩプロセス又はリソース設定に含まれることができる。非周期的ＣＳＩ要請により該当範囲内のk値を端末に指定することができる。
【０２３１】
上記k値の意味は以下の通りである。
【０２３２】
−ｋ値はＡ−ＣＳＩ−ＲＳ指示からＣＳＩフィードバック時点までの間隔(又は距離)。図２５はこれを示している。
【０２３３】
−ｋ値は１番目のＡ−ＣＳＩ−ＲＳからＣＳＩフィードバック時点までの間隔(又は距離)。図２６はこれを示している。
【０２３４】
−ｋ値は最後のＡ−ＣＳＩ−ＲＳからＣＳＩフィードバック時点までの間隔(又は距離)。図２７はこれを示している。
【０２３５】
−ｋ値は非周期的ＣＳＩ要請からＣＳＩフィードバック時点までの間隔(又は距離)。図２８はこれを示している。
【０２３６】
Ｏｐｔｉｏｎ ９．広帯域／部分帯域リソース分離
【０２３７】
広帯域ＣＳＩ−ＲＳと特定の部分帯域(広帯域より小さい)ＣＳＩ−ＲＳが定義できるＲＳリソースが分離されて互いに重畳しないように定義されることができる。この場合、各ＣＳＩ−ＲＳは自分が定義されるリソース内で設定されなければならない。
【０２３８】
上記のＣＳＩ−ＲＳ ＲＥはいずれも隣接した形態で示されているが、実際の使用時には、かかる制限を満たす、隣接しないＲＥがＣＳＩ−ＲＳとして定義されることができる。
【０２３９】
図２９は連続しないＲＥで定義された個別ＣＳＩ−ＲＳ(リソース)の集合を示す図である。
【０２４０】
かかる事項が単独又は組み合わせにより考慮されてＣＳＩ−ＲＳリソース集合の集合を定義することができる。このために上述した要素(ＣＳＩ−ＲＳシンボル数、１シンボル及び１ＲＢ内のＣＳＩ−ＲＳ ＲＥ数、ＣＳＩ−ＲＳが定義されるＲＢ数、基地局のＴＸＵ数、ＤＣＩ内のＣＳＩ−ＲＳ指示フィールドのサイズ、ＯＣＣ長さ／方向)のうちの１つ又は複数個を基地局が端末にＲＲＣシグナリングなどのシグナリングにより知らせることができ、残りは予め定義されることができる。特に、セル内の共通要素(例えば、基地局のＴＸＵ数)の場合、ＳＩＢのようなシステム情報のブロードキャストによりシグナリングのオーバーヘッドをより減らすことができる。
【０２４１】
基地局から別のシグナリングを受けるまでは、端末は予め決定された上記要素の初期値(及びそれに該当するＣＳＩ−ＲＳリソース集合の設定)を使用できる。例えば、端末は別のシグナリングを受けるまでは、各値のうち１つ又は複数に対する初期値(例えば、ＣＳＩ−ＲＳシンボル１、１シンボル及び１ＲＢ内のＣＳＩ−ＲＳ ＲＥ１２、ＣＳＩ−ＲＳは１ＲＢに対して定義される、基地局のＴＸＵ２、ＤＣＩ内のＣＳＩ−ＲＳ指示フィールド２ビット、ＯＣＣを使用しない)(及びそれに該当するＣＳＩ−ＲＳリソース集合の構成)を仮定して動作することができる。
【０２４２】
又は上記シグナリングは他のシグナリングにより暗示的に伝達されることができる。例えば、ｎｅｗ ＲＡＴで使用されるＢＲＳ(或いはＲＲＭ−ＲＳ)ポート数が基地局から指示されたか又は端末が導き出される場合、端末はＢＲＳポート数を(臨時的に)基地局のＴＸＵの数として仮定できる。
【０２４３】
かかる方式は、予め定義されたＣＳＩ−ＲＳリソース集合のうち、実際に使用する集合のみを限定するために使用できる。例えば、予め定義されたＣＳＩ−ＲＳリソース集合の構成のうち、図１６の(ａ)と(ｂ)、即ち、互いに異なるＴＸＵ数に該当する設定が存在し、基地局からＴＸＵ＝２のシグナリングを受けた場合、端末は図１６の(ａ)に該当する設定、即ちＴＸＵ＝４が必要なＣＳＩ−ＲＳリソース集合は使用しないものと見なすことができる。
【０２４４】
また、ＣＳＩ報告の時間要求事項(ｒｅｑｕｉｒｅｍｅｎｔ)に従って実際に使用するＣＳＩ−ＲＳリソース集合が制限されることができる。例えば、端末がセルフ−コンテインド構造のような状況でＴＴＩ内のフィードバックのような速いＣＳＩフィードバックが設定されると、端末はＣＳＩ−ＲＳ集合のうち、ＴＴＩ内で一定の条件を合わせたＣＳＩ−ＲＳリソース集合のみを使用することに限定することができる。例えば、図３０のように、ＣＳＩ−ＲＳリソース１、２、３、４が定義されており、ＴＴＩ内の報告タイミングのための条件を満たすＣＳＩ−ＲＳは、「４ポート、２番目のシンボルまで」である場合、端末を以下のＣＳＩ−ＲＳリソースのうち、ＣＳＩ−ＲＳリソース集合１＝{ＣＳＩ−ＲＳリソース１、２}のみが使用可能であり、ＣＳＩ−ＲＳリソース集合２＝{ＣＳＩ−ＲＳリソース３、４}は使用不可能なものと見なすことができる。他の例として、もし８ポートからなるＣＳＩ−ＲＳリソース集合が定義されて存在すると、該当集合も使用しない。これは、基地局は端末にＣＳＩ−ＲＳリソース集合１に該当するシグナリングのみを送る形態になることができ、図３０のような場合に、１−ビットオン／オフのように設定されることができる。言い換えれば、基地局は端末に「速いＣＳＩ要請」を伝送し、端末は該当ＣＳＩ−ＲＳリソース集合１に対するＣＳＩを与えられた時間要求事項内で計算して伝送する。或いは、シグナリングはそのままに置き、端末は上記条件を満たさないＣＳＩ−ＲＳリソース集合、例えば、図３０のＣＳＩ−ＲＳリソース集合２に対するＣＳＩは計算／報告しないことができる。
【０２４５】
この動作のために、基地局は端末に上記のような条件に適合するＣＳＩ−ＲＳリソース集合を少なくとも１つ設定するように制限することができる。
【０２４６】
シグナリングのオーバーヘッドを減らすために、複数の候補がある場合は、使用するＣＳＩ−ＲＳリソース集合が予め定義されることができる。例えば、端末は以上のような状況で、複数の候補のうち、より小さいＣＳＩ−ＲＳリソース集合ＩＤを有するＣＳＩ−ＲＳリソース集合をＣＳＩ報告に使用することができる。
【０２４７】
或いは基地局は端末にＲＲＣシグナリングなどのシグナリングによりビットマップで各ＣＳＩ−ＲＳリソース集合を設定することができる。この場合、ビットマップで選択する時、上述した要素(ＣＳＩ−ＲＳシンボル数、１シンボル及び１ＲＢ内のＣＳＩ−ＲＳ ＲＥ数、ＣＳＩ−ＲＳが定義されるＲＢ数、基地局のＴＸＵ数、ＤＣＩ内のＣＳＩ−ＲＳ指示フィールドのサイズ、ＯＣＣ長さ／方向)のうち１つ以上の制限が適用されることができる。この場合、端末が間違ったＣＳＩ−ＲＳリソース集合設定を受信する場合、端末は該当ＣＳＩ−ＲＳリソース集合は使用しないものと見なすことができる。例えば、図１５の(ａ)と(ｂ)に該当する設定が存在し、基地局からＴＸＵ＝２のシグナリングを受けた場合、端末は図１５の(ａ)に該当する設定、即ち、ＴＸＵ＝４が必要なＣＳＩ−ＲＳリソース集合に対する報告を省略することができる。
【０２４８】
上述したＣＳＩ−ＲＳリソース集合はＮＺＰ ＣＳＩ−ＲＳを主として説明したが、ＮＺＰ ＣＳＩ−ＩＭで使用されることもできる。即ち、端末はＣＳＩ−ＩＭに指定されたＣＳＩ−ＲＳリソース集合(＝ＣＳＩ−ＩＭリソース集合)で干渉を測定してＣＳＩ計算に活用することができる。あるＣＳＩ−ＲＳリソース集合がＮＺＰ ＣＳＩ−ＲＳであるか又はＮＺＰ ＣＳＩ−ＩＭであるかは、基地局が端末にＤＣＩによりＣＳＩ−ＲＳリソース集合を指示する時、該当リソースがＮＺＰ ＣＳＩ−ＲＳであるか又はＮＺＰ ＣＳＩ−ＩＭであるかを指定することができ、又はＣＳＩ−ＲＳリソース集合設定自体で特定のＣＳＩ−ＲＳリソース集合をＮＺＰ ＣＳＩ−ＩＭリソースとして定義することができる。
【０２４９】
この明細書ではＣＳＩ−ＲＳに特定して説明したが、上記説明において「ＣＳＩ−ＲＳ」はＣＳＩの計算に使用できる他のＲＳに置き換えることができる。
【０２５０】
特に、ＣＳＩ−ＲＳ以外に他のタイプのＲＳ(例えば、ＢＲＳ、ＢＲＲＳ、ＤＭＲＳ、ＢＭＲＳ(ｂｅａｍ ｍａｎａｇｅｍｅｎｔ ＲＳ))がＣＳＩ計算のために使用できる時、ＲＳリソース指示によりＲＳタイプ(例えば、ＢＲＳ、ＢＲＲＳ、ＤＭＲＳ、ＢＭＲＳ)を一種の「ＲＳタイプ指示子」により知らせることができる。このために、ＲＳリソース指示のうち、特定の状態は上述したＣＳＩ−ＲＳの代わりに他のＲＳタイプを指定し、これを受信した端末はＲＳリソース指示子が他のＲＳタイプ、例えば、ＢＲＳをＣＳＩ計算に使用することができる。この場合、該当ＲＳタイプによってフィードバックタイプ(例えば、ＣＱＩのみ)、最大ポート数、最大ランクなどが制限される。
【０２５１】
該当ＲＳタイプの指定には上述したＣＳＩ−ＲＳの設定と類似するパラメータが含まれることができる。例えば、ＢＲＳを含むＲＳタイプにはＢＲＳポート数とＢＲＳリソース(例えば、ＢＲＳが伝送されるンボル数)などが含まれてシグナリングされることができる。
【０２５２】
或いは、この「ＲＳタイプ指示子」は、別のＤＣＩフィールドを介して端末に伝送されることができる。例えば、１−ビット指示子がＣＳＩ計算／報告のためにＣＳＩ−ＲＳを使用するか又はＢＲＳを使用するかを端末に知らせることができる。
【０２５３】
また、この明細書では便宜上、ＣＳＩ−ＲＳリソースがＲＢ内の最初のシンボルに存在するセルフ−コンテインド構造を例示して説明したが、この明細書の内容はＣＳＩ−ＲＳリソースの位置をＲＢ(或いはＴＴＩ)内の最初のシンボルに限定しない。即ち、この明細書に記載されたＣＳＩ−ＲＳリソース設定方法は、セルフ−コンテインド環境に制限されず、ｎｅｗ ＲＡＴで使用されるＣＳＩのためのＲＳ全体に適用可能である。
【０２５４】
上述したＣＳＩ−ＲＳ関連設定は互いに異なるニューマロロジーによって互いに異なるように与えられる。従って、１つの端末が複数のニューマロロジーを支援する場合、各場合に使用するＣＳＩ−ＲＳ設定が別に与えられ、端末は自分が実際データを伝送する帯域のニューマロロジーによって、該当ニューマロロジーに適用されるＣＳＩ−ＲＳ設定を使用してチャネル／干渉を測定することができる。この動作は、同じニューマロロジーが使用される部分帯域ごとに互いに異なるＣＳＩ−ＲＳ設定が与えられる方式などで具現できる。例えば、ＣＳＩ−ＲＳパターンが互いに異なるニューマロロジーによって互いに異なるように設定されることができる。
【０２５５】
この明細書では、ＣＳＩ−ＲＳパターンがＣＳＩ−ＲＳリソース集合と同じ意味で使用されているので、互いに相互交換的に使用できる。
【０２５６】
ｎｅｗ ＲＡＴにおいて、ＣＳＩ−ＲＳは複数の送信／受信(アナログ)ビーム対を選択及び使用するためのＢＭ(ｂｅａｍ ｍａｎａｇｅｍｅｎｔ)を考慮している。
【０２５７】
図３２はＢＭ手順に関する簡略な例示を示す図である。
【０２５８】
基地局は端末にＳＳバーストを伝送し、各ＳＳブロックにおいて互いに異なるアナログビームを適用する。該当アナログビームは今後ＣＳＩ−ＲＳに使用されるビームよりもっと荒くなり(ｃｏａｒｓｅ)、即ち、より広いビームが使用される。端末は複数のＳＳブロックに対してＲＳＲＰ(Ｒｅｆｅｒｅｎｃｅ Ｓｉｇｎａｌ Ｒｅｃｅｉｖｅｄ Ｐｏｗｅｒ)などのような電力測定を行い、受信されたＳＳブロックのうち、どのＳＳブロックが最高品質を有するか、即ち、どの荒いビームがより適合するかを基地局に報告する。
【０２５９】
その後、基地局は端末にＣＳＩ−ＲＳリソースを設定し、該当ＣＳＩ−ＲＳリソースにおいて時間ユニット(ＯＦＤＭシンボル１つ又は複数のＯＦＤＭシンボル)の間に互いに異なるアナログビームを使用してＣＳＩ−ＲＳを伝送する。図示したように、該当ビームは予め基地局が伝送した特定のＳＳブロックに該当する荒い(ｃｏａｒｓｅ)ビーム内で伝送され、このために基地局は該当ＣＳＩ−ＲＳ(ポート)が特定のＳＳブロックと疑似コロケーション(ｑｕａｓｉ−ｃｏ−ｌｏｃａｔｅｄ)されていると端末に知らせることができる。端末は各時間ユニットに対してＲＳＲＰ測定を行い、ベスト(ｂｅｓｔ)ＲＳＲＰを有するＣＳＩ−ＲＳリソースのインデックスを基地局に報告する。
【０２６０】
その後、基地局はデータ伝送に使用するアナログビームをＣＳＩ−ＲＳリソースとのＱＣＬシグナリングにより端末に知らせる。
【０２６１】
かかるＢＭのためのＣＳＩ−ＲＳの設定は、ＣＳＩ測定及び報告のためのＣＳＩ−ＲＳ設定と統合して設計しようとする。このＢＭのためのＣＳＩ−ＲＳは周期的に広帯域に伝送されることが考えられるので、オーバーヘッドの減少又は他のＲＳとの衝突を避けるために一定の特定が制限されることができる。
【０２６２】
Ｏｐｔｉｏｎ １.時間リソース
【０２６３】
Ａ．ＢＭのためのＣＳＩ−ＲＳとＣＳＩのためのＣＳＩ−ＲＳの時間リソースを互いに異なるように設定することができる。
【０２６４】
ｉ．サブフレーム又はこれに準ずる時間ユニット内において、ＢＭのためのＣＳＩ−ＲＳとＣＳＩのためのＣＳＩ−ＲＳの開始時点を互いに異なるように設定する。
【０２６５】
１.例えば、図３３に示したように、ＢＭのためのＣＳＩ−ＲＳはＲＢの前側のシンボルから、ＣＳＩのためのＣＳＩ−ＲＳはＲＢの後側のシンボルから定義する。
【０２６６】
ii．ＢＭのためのＣＳＩ−ＲＳの場合にのみＣＳＩ−ＲＳのための複数のシンボル伝送が許容される。
【０２６７】
iii．ＢＭのためのＣＳＩ−ＲＳにおいて、各(アナログ)ビームごとに互いに異なるＣＳＩ−ＲＳリソースを定義すると、ＢＭのためのＣＳＩ−ＲＳの場合にのみデータ領域内のＣＳＩ−ＲＳシンボル位置が許容される。但し、この場合、他のＣＳＩ−ＲＳリソースシンボルに隣接する場合にのみ許容される。
【０２６８】
Ｏｐｔｉｏｎ ２．周波数リソース
【０２６９】
Ａ．一定のＣＳＩ−ＲＳ周波数リソースユニット(例えば、ＲＢ)において、ＢＭのためのＣＳＩ−ＲＳが伝送されるＲＥ領域が定義される。これは少ない数(例えば、１シンボル)を使用するＣＳＩのためのＣＳＩ−ＲＳのうち、一部周波数帯域を使用して複数のシンボルで伝送される図３４のような形態を示す。
【０２７０】
ｉ．ＢＭのためのＣＳＩ−ＲＳは、相対的にＣＳＩのためのＣＳＩ−ＲＳに比べて少ないポート数(例えば、２ポート)を使用するので、リソースユニット内で相対的に小さい周波数領域を占める。
【０２７１】
ii．上記ＣＳＩ−ＲＳ周波数リソースユニットは周波数軸で繰り返されるので、ＢＭの側面でより良好な性能を期待できる。
【０２７２】
Ｏｐｔｉｏｎ ３．最大ポート数
【０２７３】
オーバーヘッドの減少のために、ＢＭのためのＣＳＩ−ＲＳは最大ポート数が制限されることができる。これは、単純に電力測定のみのための１ポートに制限されるか、或いは交差−極性(ｃｒｏｓｓ−ｐｏｌｅ)アンテナの各スラント(ｓｌａｎｔ)に対する電力測定を考慮して２ポートに制限される。
【０２７４】
Ｏｐｔｉｏｎ ４．最大密度
【０２７５】
同様の理由で、ＢＭのためのＣＳＩ−ＲＳは最大密度が制限されることができる。特に、ＢＭのためのＣＳＩ−ＲＳはチャネルの高速フェージング(ｆａｓｔ ｆａｄｉｎｇ)特性を考慮しないことができるので、このための高性能のチャネル測定性能が不要である。ここで、密度は上述したように、周波数軸の密度と時間軸の密度(例えば、周期)を全部考慮できる。
【０２７６】
Ｏｐｔｉｏｎ ５．ＯＣＣ長さ／方向
【０２７７】
連続するシンボルに定義されたＢＭのためのＣＳＩ−ＲＳは、隣接するシンボルに互いに異なるアナログビームが適用されて伝送されることができる。このように、互いに異なるアナログビームが適用されたＲＥの間にＯＣＣを適用することは好ましくないので、これを避けるために、ＢＭのためのＣＳＩ−ＲＳはＯＣＣを使用しないか、又は周波数軸方向のＯＣＣのみを設定するように制限することができる。
【０２７８】
Ｏｐｔｉｏｎ ６．入れ子属性のためのＣＳＩ−ＲＳ基底リソース
【０２７９】
ＣＳＩのためのＣＳＩ−ＲＳとＢＭのためのＣＳＩ−ＲＳに互いに異なる形態の入れ子属性のためのＣＳＩ−ＲＳ基底リソースが定義されることができる。例えば、ＣＳＩのためのＣＳＩ−ＲＳについては、周波数×時間リソース、４×２＝８ポートが入れ子属性のためのＣＳＩ−ＲＳ基底リソースとして使用され、ＢＭのためのＣＳＩ−ＲＳについては、２×１＝２ポートが入れ子属性のためのＣＳＩ−ＲＳ基底リソースとして使用される、ＣＳＩ−ＲＳパターンを設計できる。
【０２８０】
この特性はＣＳＩ−ＲＳ設定によりＣＳＩのためのＣＳＩ−ＲＳと同一線上に設定できるが、別のＣＳＩ−ＲＳタイプ指示により、該当ＣＳＩ−ＲＳ設定がＢＭのためのＣＳＩ−ＲＳであるか又はＣＳＩのためのＣＳＩ−ＲＳであるかを端末に直接知らせることができる。この場合、ＣＳＩ−ＲＳタイプ指示によって、上記設定に対する解釈が異なることができる。例えば、ＣＳＩ−ＲＳタイプ指示がＣＳＩのためのＣＳＩ−ＲＳを意味し、ＯＣＣ設定「００」と「０１」が各々「ＯＣＣオフ」、「時間ＯＣＣ、長さ２」を意味すると、ＣＳＩ−ＲＳタイプ指示がＢＭのためのＣＳＩ−ＲＳを意味する場合は、ＯＣＣ設定「００」と「０１」が各々「ＯＣＣオフ」、「周波数ＯＣＣ、長さ２」を意味することができる。
【０２８１】
実際に技術の具現時に、上記内容は単独又は組み合わせにより使用できる。また、上述したＣＳＩ−ＲＳ Ｏｐｔｉｏｎを含むＣＳＩ−ＲＳの設定は、既存のＬ３シグナリング(例えば、ＲＲＣシグナリング)以外に他のＬ１／Ｌ２シグナリング(例えば、ＭＡＣ ＣＥ)によっても端末に伝送できる。
【０２８２】
この明細書では説明の便宜のために３ＧＰＰ ＬＴＥシステムに基づいて提案方式を説明したが、提案方式が適用されるシステムの範囲は、３ＧＰＰ ＬＴＥシステム以外に他のシステム(例えば、ＵＴＲＡなど)、特に５Ｇ及びその候補技術にも拡張できる。
【０２８３】
図３５は本発明の一実施例による動作を示す図である。
【０２８４】
図３５は無線通信システムにおいてチャネル状態情報−参照信号(ｃｈａｎｎｅｌ ｓｔａｔｅ ｉｎｆｏｒｍａｔｉｏｎ−ｒｅｆｅｒｅｎｃｅ ｓｉｇｎａｌ; ＣＳＩ−ＲＳ)ベースのチャネル状態報告方法に関連する。端末は基地局からＣＳＩ−ＲＳ関連設定を受信できる(Ｓ３５１０)。端末はＣＳＩ−ＲＳ関連設定によってＣＳＩ−ＲＳを測定してＣＳＩを計算する(Ｓ３５２０)。その後、端末は計算されたＣＳＩを基地局に伝送する(Ｓ３５３０)。ＣＳＩ−ＲＳ関連設定はＣＳＩのためのＣＳＩ−ＲＳ設定又はビーム管理(ｂｅａｍ ｍａｎａｇｅｍｅｎｔ；ＢＭ)のためのＣＳＩ−ＲＳ設定を含むことができる。
【０２８５】
ＣＳＩ−ＲＳ関連設定は、ＣＳＩのためのＣＳＩ−ＲＳと関連するリソースとは時間軸上で区別されるＢＭのためのＣＳＩ−ＲＳと関連する時間リソース情報を含むことができる。ＢＭのためのＣＳＩ−ＲＳと関連する時間リソースの情報は、ＣＳＩのためのＣＳＩ−ＲＳと関連するリソースとは異なる開始点を有するように設定できる。
【０２８６】
また、ＣＳＩ−ＲＳ関連設定はＢＭのためのＣＳＩ−ＲＳの最大のアンテナポート数を含むことができる。
【０２８７】
また、ＣＳＩ−ＲＳ関連設定はＢＭのためのＣＳＩ−ＲＳの最大の密度情報を含むことができる。
【０２８８】
また、ＣＳＩ−ＲＳ関連設定は、ＣＳＩのためのＣＳＩ−ＲＳ設定又はＢＭのためのＣＳＩ−ＲＳ設定のうちの１つを指示し、この指示されたＣＳＩ−ＲＳ設定によって受信されたＣＳＩ−ＲＳ関連設定が解釈されることができる。
【０２８９】
以上、図３５を参照して、本発明による実施例を簡略に説明したが、図３５に関連する実施例は、上述した実施例のうち少なくとも一部を代案又は追加に含んでもよい。
【０２９０】
図３６は、本発明の実施例を実行する送信装置１０及び受信装置２０の構成要素を示すブロック図である。送信装置１０及び受信装置２０は、情報及び／又はデータ、信号、メッセージなどを運ぶ無線信号を送信又は受信できる送信機／受信機１３，２３と、無線通信システム内の通信と関連した各種情報を記憶するメモリ１２，２２と、送信機／受信機１３，２３及びメモリ１２，２２などの構成要素と動作的に接続してこれらの構成要素を制御し、当該装置が前述の本発明の実施例の少なくとも一つを実行するようにメモリ１２，２２及び／又は送信機／受信機１３，２３を制御するように構成されたプロセッサー１１，２１をそれぞれ備える。
【０２９１】
メモリ１２，２２は、プロセッサー１１，２１の処理及び制御のためのプログラムを格納することができ、入／出力される情報を仮記憶することができる。メモリ１２，２２がバッファーとして活用されてもよい。プロセッサー１１，２１は、一般に、送信装置又は受信装置内の各種モジュールの動作全般を制御する。特に、プロセッサー１１，２１は、本発明を実行するための各種制御機能を果たすことができる。プロセッサー１１，２１をコントローラ(ｃｏｎｔｒｏｌｌｅｒ)、マイクロコントローラ(ｍｉｃｒｏｃｏｎｔｒｏｌｌｅｒ)、マイクロプロセッサー(ｍｉｃｒｏｐｒｏｃｅｓｓｏｒ)、マイクロコンピュータ(ｍｉｃｒｏｃｏｍｐｕｔｅｒ)などと呼ぶこともできる。プロセッサー１１，２１は、ハードウェア(ｈａｒｄｗａｒｅ)又はファームウェア(ｆｉｒｍｗａｒｅ)、ソフトウェア、又はこれらの結合によって具現されてもよい。ハードウェアを用いて本発明を具現する場合は、本発明を実行するように構成されたＡＳＩＣｓ(ａｐｐｌｉｃａｔｉｏｎ  ｓｐｅｃｉｆｉｃ  ｉｎｔｅｇｒａｔｅｄ  ｃｉｒｃｕｉｔｓ)、ＤＳＰｓ(ｄｉｇｉｔａｌ  ｓｉｇｎａｌ  ｐｒｏｃｅｓｓｏｒｓ)、ＤＳＰＤｓ(ｄｉｇｉｔａｌ  ｓｉｇｎａｌ  ｐｒｏｃｅｓｓｉｎｇ  ｄｅｖｉｃｅｓ)、ＰＬＤｓ(ｐｒｏｇｒａｍｍａｂｌｅ  ｌｏｇｉｃ  ｄｅｖｉｃｅｓ)、ＦＰＧＡｓ(ｆｉｅｌｄ  ｐｒｏｇｒａｍｍａｂｌｅ  ｇａｔｅ  ａｒｒａｙｓ)などがプロセッサー１１，２１に設けられてもよい。一方、ファームウェアやソフトウェアを用いて本発明を具現する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサー１１，２１内に設けられたりメモリ１２，２２に格納されてプロセッサー１１，２１によって駆動されてもよい。
【０２９２】
送信装置１０におけるプロセッサー１１は、プロセッサー１１又はプロセッサー１１に接続しているスケジューラからスケジューリングされて外部に送信される信号及び／又はデータに対して所定の符号化(ｃｏｄｉｎｇ)及び変調(ｍｏｄｕｌａｔｉｏｎ)を行った後、送信機／受信機１３に送信する。例えば、プロセッサー１１は、送信しようとするデータ列を逆多重化、チャネル符号化、スクランブリング、及び変調の過程などを経てＫ個のレイヤに変換する。符号化されたデータ列はコードワードとも呼ばれ、ＭＡＣ層が提供するデータブロックである伝送ブロックと等価である。一伝送ブロック(ｔｒａｎｓｐｏｒｔ  ｂｌｏｃｋ，ＴＢ)は一コードワードに符号化され、各コードワードは一つ以上のレイヤの形態で受信装置に送信される。周波数上り変換のために送信機／受信機１３はオシレータ(ｏｓｃｉｌｌａｔｏｒ)を含むことができる。送信機／受信機１３はＮｔ個(Ｎｔは１以上の正の整数)の送信アンテナを含むことができる。
【０２９３】
受信装置２０の信号処理過程は、送信装置１０の信号処理過程の逆となる。プロセッサー２１の制御下に、受信装置２０の送信機／受信機２３は送信装置１０から送信された無線信号を受信する。送信機／受信機２３は、Ｎｒ個の受信アンテナを含むことができ、送信機／受信機２３は受信アンテナから受信した信号のそれぞれを周波数下り変換して(ｆｒｅｑｕｅｎｃｙ  ｄｏｗｎ−ｃｏｎｖｅｒｔ)基底帯域信号に復元する。送信機／受信機２３は、周波数下り変換のためにオシレータを含むことができる。プロセッサー２１は、受信アンテナから受信した無線信号に対する復号(ｄｅｃｏｄｉｎｇ)及び復調(ｄｅｍｏｄｕｌａｔｉｏｎ)を行い、送信装置１０が本来送信しようとしたデータに復元することができる。
【０２９４】
送信機／受信機１３，２３は一つ以上のアンテナを具備する。アンテナは、プロセッサー１１，２１の制御下に、本発明の一実施例によって、送信機／受信機１３，２３で処理された信号を外部に送信したり、外部から無線信号を受信して送信機／受信機１３，２３に伝達する機能を果たす。アンテナはアンテナポートと呼ばれることもある。各アンテナは一つの物理アンテナに該当したり、２以上の物理アンテナ要素(ｅｌｅｍｅｎｔ)の組み合わせによって構成されてもよい。各アンテナから送信された信号は受信装置２０によってそれ以上分解されることはない。当該アンテナに対応して送信された参照信号(ｒｅｆｅｒｅｎｃｅ  ｓｉｇｎａｌ，ＲＳ)は受信装置２０の観点で見たアンテナを定義し、チャネルが一物理アンテナからの単一(ｓｉｎｇｌｅ)無線チャネルであるか、或いは当該アンテナを含む複数の物理アンテナ要素(ｅｌｅｍｅｎｔ)からの合成(ｃｏｍｐｏｓｉｔｅ)チャネルであるかに関係なく、受信装置２０にとって当該アンテナに対するチャネル推定を可能にする。すなわち、アンテナは、該アンテナ上のシンボルを伝達するチャネルが同一アンテナ上の他のシンボルが伝達される前記チャネルから導出されるように定義される。複数のアンテナを用いてデータを送受信する多重入出力(Ｍｕｌｔｉ−Ｉｎｐｕｔ  Ｍｕｌｔｉ−Ｏｕｔｐｕｔ、ＭＩＭＯ)機能を支援する送信機／受信機の場合は２個以上のアンテナに接続されてもよい。
【０２９５】
本発明の実施例において、端末又はＵＥは上りリンクでは送信装置１０として動作し、下りリンクでは受信装置２０として動作する。本発明の実施例において、基地局又はｅＮＢは上りリンクでは受信装置２０として動作し、下りリンクでは送信装置１０として動作する。
【０２９６】
送信装置及び／又は受信装置は、上述した本発明の実施例のうちの少なくとも１つ又は２つ以上の実施例の組み合わせを実行することができる。
【０２９７】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである。
【産業上の利用可能性】
【０２９８】
本発明は、端末、リレー、基地局などのような無線通信装置に利用可能である。
【図１】
2019528610.tif 000030
【図２】
2019528610.tif 000031
【図３】
2019528610.tif 000032
【図４】
2019528610.tif 000033
【図５】
2019528610.tif 000034
【図６】
2019528610.tif 000035
【図７】
2019528610.tif 000036
【図８】
2019528610.tif 000037
【図９】
2019528610.tif 000038
【図１０】
2019528610.tif 000039
【図１１】
2019528610.tif 000040
【図１２】
2019528610.tif 000041
【図１３】
2019528610.tif 000042
【図１４】
2019528610.tif 000043
【図１５】
2019528610.tif 000044
【図１６】
2019528610.tif 000045
【図１７】
2019528610.tif 000046
【図１８】
2019528610.tif 000047
【図１９】
2019528610.tif 000048
【図２０】
2019528610.tif 000049
【図２１】
2019528610.tif 000050
【図２２】
2019528610.tif 000051
【図２３】
2019528610.tif 000052
【図２４】
2019528610.tif 000053
【図２５】
2019528610.tif 000054
【図２６】
2019528610.tif 000055
【図２７】
2019528610.tif 000056
【図２８】
2019528610.tif 000057
【図２９】
2019528610.tif 000058
【図３０】
2019528610.tif 000059
【図３１】
2019528610.tif 000060
【図３２】
2019528610.tif 000061
【図３３】
2019528610.tif 000062
【図３４】
2019528610.tif 000063
【図３５】
2019528610.tif 000064
【図３６】
2019528610.tif 000065
【手続補正書】
【提出日】平成31年3月15日(2019.3.15)
【手続補正１】
【補正対象書類名】明細書
【補正対象項目名】０１３６
【補正方法】変更
【補正の内容】
【０１３６】
Ｃ．もしＣＳＩ−ＲＳリソース候補の周波数軸位置及び範囲が、予め定義されるか、又は別のシグナリングにより設定される場合、「ＲＢ当たり最大のＲＥ数」及び／又は「使用されるＣＳＩ−ＲＳ ＲＥ」は、ＣＳＩ−ＲＳリソース集合が定義されるＣＳＩ−ＲＳリソース候補内の周波数軸位置及び／又は範囲を指定することができる。
【手続補正２】
【補正対象書類名】明細書
【補正対象項目名】０２０４
【補正方法】変更
【補正の内容】
【０２０４】
図１９はＡ−ＣＳＩ−ＲＳの伝送タイミングｍを示す図である。
【手続補正３】
【補正対象書類名】明細書
【補正対象項目名】０２０５
【補正方法】変更
【補正の内容】
【０２０５】
特に、１番目のＡ−ＣＳＩ−ＲＳが該当指示を含むＤＣＩと同じサブフレームで伝送されることができるが、この場合、上記固定された値ｍ＝０に予め定義される場合と同一である。図２０はｍ＝０である場合を示している。
【手続補正４】
【補正対象書類名】明細書
【補正対象項目名】０２１９
【補正方法】変更
【補正の内容】
【０２１９】
図２３は各Ａ−ＣＳＩ−ＲＳの間の間隔を指示するｐを示す図である。
【手続補正５】
【補正対象書類名】明細書
【補正対象項目名】０２２１
【補正方法】変更
【補正の内容】
【０２２１】
図２４は最初のＡ−ＣＳＩ−ＲＳと最後のＡ−ＣＳＩ−ＲＳの間の間隔を指示するｐを示す図である。
【手続補正６】
【補正対象書類名】明細書
【補正対象項目名】０２２４
【補正方法】変更
【補正の内容】
【０２２４】
図２５はＡ−ＣＳＩ−ＲＳ指示と最後のＣＳＩ−ＲＳの間の間隔を指示するｐを示す図である。
【手続補正７】
【補正対象書類名】明細書
【補正対象項目名】０２３２
【補正方法】変更
【補正の内容】
【０２３２】
−ｋ値はＡ−ＣＳＩ−ＲＳ指示からＣＳＩフィードバック時点までの間隔(又は距離)。図２６はこれを示している。
【手続補正８】
【補正対象書類名】明細書
【補正対象項目名】０２３３
【補正方法】変更
【補正の内容】
【０２３３】
−ｋ値は１番目のＡ−ＣＳＩ−ＲＳからＣＳＩフィードバック時点までの間隔(又は距離)。図２７はこれを示している。
【手続補正９】
【補正対象書類名】明細書
【補正対象項目名】０２３４
【補正方法】変更
【補正の内容】
【０２３４】
−ｋ値は最後のＡ−ＣＳＩ−ＲＳからＣＳＩフィードバック時点までの間隔(又は距離)。図２８はこれを示している。
【手続補正１０】
【補正対象書類名】明細書
【補正対象項目名】０２３５
【補正方法】変更
【補正の内容】
【０２３５】
−ｋ値は非周期的ＣＳＩ要請からＣＳＩフィードバック時点までの間隔(又は距離)。図２９はこれを示している。
【手続補正１１】
【補正対象書類名】明細書
【補正対象項目名】０２３９
【補正方法】変更
【補正の内容】
【０２３９】
図３０は連続しないＲＥで定義された個別ＣＳＩ−ＲＳ(リソース)の集合を示す図である。
【手続補正１２】
【補正対象書類名】明細書
【補正対象項目名】０２４４
【補正方法】変更
【補正の内容】
【０２４４】
また、ＣＳＩ報告の時間要求事項(ｒｅｑｕｉｒｅｍｅｎｔ)に従って実際に使用するＣＳＩ−ＲＳリソース集合が制限されることができる。例えば、端末がセルフ−コンテインド構造のような状況でＴＴＩ内のフィードバックのような速いＣＳＩフィードバックが設定されると、端末はＣＳＩ−ＲＳ集合のうち、ＴＴＩ内で一定の条件を合わせたＣＳＩ−ＲＳリソース集合のみを使用することに限定することができる。例えば、図３１のように、ＣＳＩ−ＲＳリソース１、２、３、４が定義されており、ＴＴＩ内の報告タイミングのための条件を満たすＣＳＩ−ＲＳは、「４ポート、２番目のシンボルまで」である場合、端末を以下のＣＳＩ−ＲＳリソースのうち、ＣＳＩ−ＲＳリソース集合１＝{ＣＳＩ−ＲＳリソース１、２}のみが使用可能であり、ＣＳＩ−ＲＳリソース集合２＝{ＣＳＩ−ＲＳリソース３、４}は使用不可能なものと見なすことができる。他の例として、もし８ポートからなるＣＳＩ−ＲＳリソース集合が定義されて存在すると、該当集合も使用しない。これは、基地局は端末にＣＳＩ−ＲＳリソース集合１に該当するシグナリングのみを送る形態になることができ、図３０のような場合に、１−ビットオン／オフのように設定されることができる。言い換えれば、基地局は端末に「速いＣＳＩ要請」を伝送し、端末は該当ＣＳＩ−ＲＳリソース集合１に対するＣＳＩを与えられた時間要求事項内で計算して伝送する。或いは、シグナリングはそのままに置き、端末は上記条件を満たさないＣＳＩ−ＲＳリソース集合、例えば、図３０のＣＳＩ−ＲＳリソース集合２に対するＣＳＩは計算／報告しないことができる。
【手続補正１３】
【補正対象書類名】明細書
【補正対象項目名】０２４７
【補正方法】変更
【補正の内容】
【０２４７】
或いは基地局は端末にＲＲＣシグナリングなどのシグナリングによりビットマップで各ＣＳＩ−ＲＳリソース集合を設定することができる。この場合、ビットマップで選択する時、上述した要素(ＣＳＩ−ＲＳシンボル数、１シンボル及び１ＲＢ内のＣＳＩ−ＲＳ ＲＥ数、ＣＳＩ−ＲＳが定義されるＲＢ数、基地局のＴＸＵ数、ＤＣＩ内のＣＳＩ−ＲＳ指示フィールドのサイズ、ＯＣＣ長さ／方向)のうち１つ以上の制限が適用されることができる。この場合、端末が間違ったＣＳＩ−ＲＳリソース集合設定を受信する場合、端末は該当ＣＳＩ−ＲＳリソース集合は使用しないものと見なすことができる。例えば、図１６の(ａ)と(ｂ)に該当する設定が存在し、基地局からＴＸＵ＝２のシグナリングを受けた場合、端末は図１６の(ａ)に該当する設定、即ち、ＴＸＵ＝４が必要なＣＳＩ−ＲＳリソース集合に対する報告を省略することができる。
【手続補正１４】
【補正対象書類名】特許請求の範囲
【補正対象項目名】全文
【補正方法】変更
【補正の内容】
【特許請求の範囲】
【請求項１】
無線通信システムにおいて、チャネル状態情報−参照信号（ＣＳＩ−ＲＳ）に基づく様々なタイプの動作を実行するための端末（ＵＥ）に対する方法であって、
ネットワークからＣＳＩ−ＲＳ設定を受信するステップであって、該ＣＳＩ−ＲＳ設定は、前記ＣＳＩ−ＲＳの測定に基づいてＣＳＩを計算する第１タイプの動作、及びビーム管理（ＢＭ）のための第２タイプの動作の少なくとも１つを前記ＵＥに通知する、ステップと、
前記ＣＳＩ−ＲＳ設定が前記第１タイプの動作を前記ＵＥに通知することに応答して、前記第１タイプの動作に基づいて、前記ＣＳＩを前記ネットワークに報告するステップと、
前記ＣＳＩ−ＲＳ設定が前記第２タイプの動作を前記ＵＥに通知することに応答して、前記ＣＳＩ−ＲＳ設定を用いて、ＢＭに対する前記第２タイプの動作に基づくビーム管理を実行するステップであって、前記ＣＳＩ−ＲＳ設定は、アンテナポートの個数及び前記ＣＳＩ−ＲＳの密度に関する情報を含む前記第２タイプの動作を前記ＵＥに通知する、ステップと、
を有する、方法。
【請求項２】
前記第２タイプの動作を前記ＵＥに通知する前記ＣＳＩ−ＲＳ設定は、前記ＣＳＩ−ＲＳが繰り返し受信されることを前記ＵＥに通知する、請求項１に記載の方法。
【請求項３】
前記第２タイプの動作を前記ＵＥに通知する前記ＣＳＩ−ＲＳ設定は、広帯域周波数粒度を前記ＵＥに通知する、請求項２に記載の方法。
【請求項４】
前記第２タイプの動作を前記ＵＥに通知する前記ＣＳＩ−ＲＳ設定の前記アンテナポートの個数は、１又は２に制限される、請求項１に記載の方法。
【請求項５】
前記第１タイプの動作を前記ＵＥに通知する前記ＣＳＩ−ＲＳ設定と前記第２タイプの動作を前記ＵＥに通知する前記ＣＳＩ−ＲＳ設定とが、前記ＣＳＩ−ＲＳ設定内で共に受信される、請求項１に記載の方法。
【請求項６】
前記ＣＳＩ−ＲＳ設定は、ＣＳＩを計算する前記第１タイプの動作及びＢＭに対する前記第２タイプの動作以外に、前記ＣＳＩ−ＲＳに基づく第３タイプの動作を前記ＵＥに更に通知する、請求項１に記載の方法。
【請求項７】
無線通信システムにおいて、チャネル状態情報−参照信号（ＣＳＩ−ＲＳ）に基づく様々なタイプの動作を実行するよう構成された端末（ＵＥ）であって、
ＲＦユニットと、
前記ＲＦユニットに接続され、
前記ＲＦユニットを用いてネットワークからＣＳＩ−ＲＳ設定を受信し、該ＣＳＩ−ＲＳ設定は、前記ＣＳＩ−ＲＳの測定に基づいてＣＳＩを計算する第１タイプの動作、及びビーム管理（ＢＭ）のための第２タイプの動作の少なくとも１つを前記プロセッサに通知し、
前記ＣＳＩ−ＲＳ設定が前記第１タイプの動作を前記ＵＥに通知することに応答して、前記第１タイプの動作に基づいて、前記ＣＳＩを前記ＲＦユニットを用いて前記ネットワークに報告し、
前記ＣＳＩ−ＲＳ設定が前記第２タイプの動作を前記ＵＥに通知することに応答して、前記ＣＳＩ−ＲＳ設定を用いて、ＢＭに対する前記第２タイプの動作に基づくビーム管理を実行し、前記ＣＳＩ−ＲＳ設定は、アンテナポートの個数及び前記ＣＳＩ−ＲＳの密度に関する情報を含む前記第２タイプの動作を前記ＵＥに通知するよう構成されたプロセッサと、
前記プロセッサに接続され、前記ＣＳＩ−ＲＳ設定を格納するよう構成されたメモリと、
を備える、端末。
【請求項８】
前記プロセッサは、前記第２タイプの動作を前記ＵＥに通知する前記ＣＳＩ−ＲＳ設定により、前記ＣＳＩ−ＲＳが繰り返し受信されることを通知される、請求項７に記載の端末。
【請求項９】
前記プロセッサは、前記第２タイプの動作を前記ＵＥに通知する前記ＣＳＩ−ＲＳ設定により、広帯域周波数粒度を通知される、請求項８に記載の端末。
【請求項１０】
前記第２タイプの動作を前記ＵＥに通知する前記ＣＳＩ−ＲＳ設定の前記アンテナポートの個数は、１又は２に制限される、請求項７に記載の端末。
【請求項１１】
前記第１タイプの動作を前記ＵＥに通知する前記ＣＳＩ−ＲＳ設定と前記第２タイプの動作を前記ＵＥに通知する前記ＣＳＩ−ＲＳ設定とが、前記ＣＳＩ−ＲＳ設定内で共に受信される、請求項７に記載の端末。
【請求項１２】
前記プロセッサは、前記ＣＳＩ−ＲＳ設定により、ＣＳＩを計算する前記第１タイプの動作及びＢＭに対する前記第２タイプの動作以外に、前記ＣＳＩ−ＲＳに基づく第３タイプの動作を更に通知される、請求項７に記載の端末。
【請求項１３】
無線通信システムにおいて、端末（ＵＥ）にチャネル状態情報−参照信号（ＣＳＩ−ＲＳ）を送信するネットワーク装置に対する方法であって、
ＣＳＩ−ＲＳ設定を前記ＵＥに送信するステップであって、該ＣＳＩ−ＲＳ設定は、前記ＣＳＩ−ＲＳの測定に基づいてＣＳＩを計算する第１タイプの動作、及びビーム管理（ＢＭ）のための第２タイプの動作の少なくとも１つを前記ＵＥに通知する、ステップと、
前記ＣＳＩ−ＲＳ設定が前記第１タイプの動作を前記ＵＥに通知することに応答して、前記第１タイプの動作に基づいて、前記ＣＳＩを前記ＵＥから受信するステップと、
前記ＣＳＩ−ＲＳ設定が前記第２タイプの動作を前記ＵＥに通知することに応答して、ＢＭに対する前記ＵＥの前記第２タイプの動作に基づく１つ以上のビームを管理するステップであって、前記ＣＳＩ−ＲＳ設定は、アンテナポートの個数及び前記ＣＳＩ−ＲＳの密度に関する情報を含む前記第２タイプの動作を前記ＵＥに通知する、ステップと、
を有する、方法。
【請求項１４】
無線通信システムにおいて、端末（ＵＥ）にチャネル状態情報−参照信号（ＣＳＩ−ＲＳ）を送信するネットワーク装置であって、
ＲＦユニットと、
前記ＲＦユニットに接続され、
前記ＲＦユニットを用いてＣＳＩ−ＲＳ設定を前記ＵＥに送信し、該ＣＳＩ−ＲＳ設定は、前記ＣＳＩ−ＲＳの測定に基づいてＣＳＩを計算する第１タイプの動作、及びビーム管理（ＢＭ）のための第２タイプの動作の少なくとも１つを前記ＵＥに通知し、
前記ＣＳＩ−ＲＳ設定が前記第１タイプの動作を前記ＵＥに通知することに応答して、前記第１タイプの動作に基づいて、前記ＣＳＩを前記ＵＥから受信し、
前記ＣＳＩ−ＲＳ設定が前記第２タイプの動作を前記ＵＥに通知することに応答して、ＢＭに対する前記ＵＥの前記第２タイプの動作に基づく１つ以上のビームを管理し、前記ＣＳＩ−ＲＳ設定は、アンテナポートの個数及び前記ＣＳＩ−ＲＳの密度に関する情報を含む前記第２タイプの動作を前記ＵＥに通知するよう構成されたプロセッサと、
前記プロセッサに接続され、前記ＣＳＩ−ＲＳ設定を格納するよう構成されたメモリと、
を備える、ネットワーク装置。
【国際調査報告】
2019528610.tif 000066
2019528610.tif 000067
2019528610.tif 000068
2019528610.tif 000069
2019528610.tif 000070
2019528610.tif 000071